(57)【特許請求の範囲】
【請求項１】
衣類投入口を備える本体と、
前記衣類投入口を開閉するように構成されるドアと、を有し、
前記ドアは、
ドアフレームと、
前記ドアフレームに取り付けられ、透光領域を備えるドアカバーと、
前記ドアフレームに取り付けられる取付フレームと、
前記取付フレームに取り付けられ、前記ドアカバーの透光領域を介して視覚情報を出力するディスプレイと、
前記ドアフレームと前記取付フレームとの間に配置され、正面視において前記ディスプレイを囲むように形成されるディスプレイシール部材と、を有し、
前記ドアフレームは、
前面に前記ドアカバーとの接着のためのシーラントが充填されるシーラント充填溝が形成されるアウターフレームと、
前記アウターフレームの背面側に結合されるインナーフレームと、を有する、ことを特徴とする衣類を洗濯及び／又は乾燥する衣類処理装置。
【請求項２】
前記ドアカバーは、前記ドアフレームの一側に取り付けられ、前記取付フレームは、前記ドアフレームの他側に取り付けられる、ことを特徴とする請求項１に記載の衣類を洗濯及び／又は乾燥する衣類処理装置。
【請求項３】
前記ドアフレームは、
前記ドアカバーの取り付けのために前記ドアフレームの前面に形成される第１取付部と、
前記取付フレームの取り付けのために前記第１取付部の内側に凹設される第２取付部と、を備え、
前記ドアカバーが前記ドアフレームに取り付けられた状態で、前記ドアカバーは、前記取付フレームを覆うように配置される、ことを特徴とする請求項１に記載の衣類を洗濯及び／又は乾燥する衣類処理装置。
【請求項４】
前記取付フレーム及び前記ドアフレームのいずれか一方には、前記ディスプレイシール部材の一部を固定するための収容溝が形成され、前記収容溝は、正面視において前記ディスプレイを囲むように形成される、ことを特徴とする請求項１に記載の衣類を洗濯及び／又は乾燥する衣類処理装置。
【請求項５】
前記ディスプレイシール部材の他の一部は、前記収容溝から突出し、前記取付フレームが前記ドアフレームに取り付けられたときに前記取付フレーム及び前記ドアフレームの他方に接触する、ことを特徴とする請求項４に記載の衣類を洗濯及び／又は乾燥する衣類処理装置。
【請求項６】
前記ディスプレイシール部材は、前記取付フレーム及び前記ドアフレームの他方にそれぞれ接触する複数の接触部を備え、前記複数の接触部は、幅方向に離隔して配置され、かつ長手方向に平行に延びて複数のシールループを形成する、ことを特徴とする請求項５に記載の衣類を洗濯及び／又は乾燥する衣類処理装置。
【請求項７】
透光性材質で形成され、前記ディスプレイを覆うように配置されるディスプレイカバーと、
前記取付フレームと前記ディスプレイカバーとの間隙を埋めるように形成される充填剤と、をさらに有する、ことを特徴とする請求項１に記載の衣類を洗濯及び／又は乾燥する衣類処理装置。
【請求項８】
前記取付フレームは、前記アウターフレームの前面に取り付けられて前記ドアカバーにより覆われるように構成され、前記シーラント充填溝に充填されたシーラントは、前記ディスプレイシール部材を囲むように構成される、ことを特徴とする請求項１に記載の衣類を洗濯及び／又は乾燥する衣類処理装置。
【請求項９】
前記インナーフレームの外周部分は、前記アウターフレームの前面から突出し、前記ドアカバーの外周を囲む取付ガイドを形成する、ことを特徴とする請求項１に記載の衣類を洗濯及び／又は乾燥する衣類処理装置。
【請求項１０】
前記取付フレームは、前記アウターフレームの背面に取り付けられ、前記アウターフレームの背面側には、フレームカバーが前記取付フレームを覆うように取り付けられる、ことを特徴とする請求項１に記載の衣類を洗濯及び／又は乾燥する衣類処理装置。
【請求項１１】
前記ドアカバーの背面に取り付けられ、前記透光領域に対するタッチ入力を検知するタッチセンサをさらに有する、ことを特徴とする請求項１に記載の衣類を洗濯及び／又は乾燥する衣類処理装置。
【請求項１２】
前記ドアフレームには、前記ディスプレイに対応するディスプレイホール、及び前記タッチセンサのフレキシブルプリント基板（Flexible Printed Circuit Board：ＦＰＣ）が通過するＦＰＣホールが形成され、前記取付フレームには、前記フレキシブルプリント基板が通過する連通孔が形成される、ことを特徴とする請求項１１に記載の衣類を洗濯及び／又は乾燥する衣類処理装置。
【請求項１３】
前記ディスプレイシール部材は、前記ディスプレイ及び前記連通孔を共に囲むように形成される、ことを特徴とする請求項１２に記載の衣類を洗濯及び／又は乾燥する衣類処理装置。
【請求項１４】
前記取付フレームの一側には、前記ディスプレイが取り付けられ、前記取付フレームの他側には、前記ディスプレイ及び前記フレキシブルプリント基板に電気的に接続されるプリント基板（Printed Circuit Board: PCB）が取り付けられる、ことを特徴とする請求項１２に記載の衣類を洗濯及び／又は乾燥する衣類処理装置。
【請求項１５】
前記取付フレームの他側には、外部の電子機器との無線通信が可能な無線通信モジュールがさらに取り付けられる、ことを特徴とする請求項１４に記載の衣類を洗濯及び／又は乾燥する衣類処理装置。
【請求項１６】
前記取付フレームに取り付けられ、前記プリント基板を覆うように配置されるＰＣＢカバーと、
前記取付フレームと前記ＰＣＢカバーとの間に配置され、正面視において前記プリント基板を囲むように形成されるＰＣＢシール部材と、をさらに有する、ことを特徴とする請求項１４に記載の衣類を洗濯及び／又は乾燥する衣類処理装置。
【請求項１７】
前記ＰＣＢシール部材は、正面視において前記プリント基板及び前記連通孔を共に囲むように形成される、ことを特徴とする請求項１６に記載の衣類を洗濯及び／又は乾燥する衣類処理装置。
【請求項１８】
前記取付フレーム及び前記ＰＣＢカバーのいずれか一方には、前記ＰＣＢシール部材の一部を収容し、正面視において前記プリント基板を囲むように形成される取付溝が形成される、ことを特徴とする請求項１６に記載の衣類を洗濯及び／又は乾燥する衣類処理装置。
【請求項１９】
前記ＰＣＢシール部材の他の一部は、前記取付溝から突出し、前記ＰＣＢカバーが前記取付フレームに取り付けられたときに前記取付フレーム及び前記ＰＣＢカバーの他方に接触する、ことを特徴とする請求項１８に記載の衣類を洗濯及び／又は乾燥する衣類処理装置。
【請求項２０】
前記ＰＣＢシール部材は、前記取付フレーム及び前記ＰＣＢカバーの他方にそれぞれ接触する複数の接触部を備え、前記複数の接触部は、幅方向に離隔して配置され、かつ長手方向に平行に延びて複数のシールループを形成する、ことを特徴とする請求項１９に記載の衣類を洗濯及び／又は乾燥する衣類処理装置。
【請求項２１】
衣類投入口を備える本体と、
前記衣類投入口を開閉するように構成されるドアと、を有し、
前記ドアは、
前記本体に対して相対移動可能に構成されるドアフレームと、
前記ドアフレームと結合して前記ドアの外観を形成するドアカバーと、
前記ドアカバーの背面上に配置されるディスプレイモジュールと、を有し、
前記ディスプレイモジュールは、
両側にディスプレイ取付部及びプリント基板取付部をそれぞれ備える取付フレームと、
前記プリント基板取付部を覆うように前記取付フレームに取り付けられるＰＣＢカバーと、
前記ドアフレームと前記取付フレームとの間に配置され、正面視において前記ディスプレイ取付部を囲むように形成されるディスプレイシール部材と、
前記取付フレームと前記ＰＣＢカバーとの間に配置され、前記プリント基板取付部を囲むように形成されるＰＣＢシール部材と、を有する、ことを特徴とする衣類を洗濯及び／又は乾燥する衣類処理装置。
【請求項２２】
前記ディスプレイシール部材は、前記取付フレームにそれぞれ接触する複数の接触部を備え、前記複数の接触部は、幅方向に離隔して配置され、かつ長手方向に平行に延びて複数のシールループを形成する、ことを特徴とする請求項２１に記載の衣類を洗濯及び／又は乾燥する衣類処理装置。
【請求項２３】
前記ＰＣＢシール部材は、前記ＰＣＢカバーにそれぞれ接触する複数の接触部を備え、前記複数の接触部は、幅方向に離隔して配置され、かつ長手方向に平行に延びて複数のシールループを形成する、ことを特徴とする請求項２１に記載の衣類を洗濯及び／又は乾燥する衣類処理装置。
【請求項２４】
衣類投入口を備える本体と、
前記衣類投入口を開閉するように構成されるドアと、を有し、
前記ドアは、
前記本体に対して相対移動可能に構成されるドアフレームと、
前記ドアフレームと結合して前記ドアの外観を形成するドアカバーと、
前記ドアカバーの背面上に配置されるディスプレイモジュールと、を有し、
前記ドアカバーと前記ディスプレイモジュールとの間には、ディスプレイシール部材が、正面視において前記ディスプレイモジュールに備えられるディスプレイを囲むように構成され、
前記ドアフレームは、
前面に前記ドアカバーとの接着のためのシーラントが充填されるシーラント充填溝が形成されるアウターフレームと、
前記アウターフレームの背面側に結合されるインナーフレームと、を有する、ことを特徴とする衣類を洗濯及び／又は乾燥する衣類処理装置。
【発明の詳細な説明】
【技術分野】
【０００１】
本発明は、本体の衣類投入口を開閉するドアを備える衣類処理装置に関する。
【背景技術】
【０００２】
衣類処理装置には、衣類を洗濯する装置、衣類を乾燥する装置、衣類の洗濯及び乾燥を共に行える装置が含まれる。衣類処理装置において、衣類の洗濯は、水及び洗剤の作用により洗濯物に付着した汚染物質を除去する工程（行程、プロセス）であり、衣類の乾燥は、衣類処理装置に備えられた熱風供給装置により衣類に含まれる水分を除去する工程である。
【０００３】
一般的な衣類処理装置は、外形を形成して衣類投入口を備える本体と、本体の内部に備えられる衣類収容部と、衣類収容部を構成するドラムを回転させる駆動ユニットと、衣類投入口を開閉するように構成されるドアと、衣類処理装置で処理される工程に関連する視覚情報をユーザに表示し、ユーザの操作が入力されるコントロールユニットと、を含む。
【０００４】
このような一般的な衣類処理装置において、ドアは、衣類投入口を開閉して衣類収容部を覗く本来の機能を果たすように設計される。また、コントロールユニットは、通常、本体に備えられ、予め定められた工程のみをオン／オフ方式などで簡単に表示し、それを操作するための複数のボタンやノブを備える。
【０００５】
このようなドアとコントロールユニットとの二分化は、衣類処理装置のシンプルな外観を阻害し、衣類処理装置とユーザとの間の入力及び出力インタフェースを低次元方式にとどめていた。
【０００６】
よって、ドアにコントロールユニットを配置し、コントロールユニットをタッチスクリーンで実現する研究が行われている。これに関する技術は、特許文献１（２０１１年１２月５日公開）や特許文献２（２０１５年１月１６日公開）にも開示されている。しかし、ドアとタッチスクリーンとの一体化した審美感を与え、低コストで高級化された感性（高級感）を醸し出すドア構造に関する研究は未だ不十分な現状である。
【０００７】
また、ドアカバーをドアフレームに結合するためには、通常、ブラケットやフックなどを用いた機械的締結構造と共に接着剤を用いる。しかし、このような機械的締結構造は、高級感を与えるためにガラス材質のドアカバーを使用する場合には用いることが困難であるという問題があった。さらに、ドアカバーが円形に形成される場合は、ドアフレームにおける正確な設置位置を決定することが困難であるという問題も生じる。
【０００８】
さらに、接着剤によりドアカバーがドアフレームに結合される過程で、接着剤が漏れ出て外観品質の低下が発生することがある。これを防止するために、縁部から遠く離れたドアフレームの内側に接着剤を塗布することもあるが、このようにした場合、接合強度の低下を招き、ドアカバーとドアフレームとの間隙から異物が浸透しやすいという問題があった。
【０００９】
一方、ドアは衣類投入口を開閉する構成であることから、ドアにタッチスクリーンが備えられた場合、タッチスクリーンを構成する電子素子に水分が浸透する恐れがある。よって、電子素子のシール（seal、密閉）は、タッチスクリーンの駆動信頼性確保の面で重要な問題といえる。
【先行技術文献】
【特許文献】
【００１０】
【特許文献１】韓国公開特許第１０−２０１１−０１３００８９号公報
【特許文献２】韓国公開特許第１０−２０１５−０００６２６４号公報
【発明の概要】
【発明が解決しようとする課題】
【００１１】
本発明の目的は、ドアに、衣類収容部を覗くことのできるウィンドウ部と、衣類処理装置で処理される情報を表示するディスプレイ部と、が構成された場合、ユーザに一体化した審美感を与えることのできる衣類処理装置のドア構造を提供することにある。
【００１２】
本発明の他の目的は、四角形のディスプレイを用いて、ユーザに円形のディスプレイ部を提供することのできる衣類処理装置のドア構造を提供することにある。
【００１３】
本発明のさらに他の目的は、円形のドアカバーと円形のドアフレームとの結合を容易に行うことのできる衣類処理装置のドア構造を提供することにある。
【００１４】
本発明のさらに他の目的は、ドアカバーとドアフレームとが結合された場合、シーラントの漏れを防止し、接合強度を向上させ、ドアカバーとドアフレームとの間隙からの異物の浸透を防止することのできる衣類処理装置のドア構造を提供することにある。
【００１５】
本発明のさらに他の目的は、ドアにディスプレイ部（又はタッチスクリーン）が構成された場合、ディスプレイ部を構成する電子素子への水分の浸透を防止することのできる衣類処理装置のドア構造を提供することにある。
【００１６】
本発明のさらに他の目的は、上記水分の浸透を防止するためのシール構造において、シール性能を向上させることのできるさらなる構造を提供することにある。
【課題を解決するための手段】
【００１７】
このような本発明の課題を解決するために、本発明の衣類処理装置は、衣類投入口を備える本体と、衣類投入口を開閉するように構成されるドアと、を有し、ドアは、ドアが閉じた状態で衣類投入口に対向する第１開口部と内部に取り付けられたディスプレイモジュールに対応する第２開口部とを備えるドアフレームと、ドアフレームと結合してドアの外観を形成するドアカバーと、を有し、ドアカバーは、非透光領域と、非透光領域内で第１開口部に対応する第１透光領域及び第２開口部に対応する第２透光領域と、を有する。
【００１８】
第２透光領域は、第２開口部より小さく形成され、ドアカバーがドアフレームに結合されたときに第２開口部内に配置されるようにしてもよい。
【００１９】
第２開口部は、四角形のディスプレイモジュールに対応する四角形状に形成され、第２透光領域は、第２開口部内に重なるように配置される円形状に形成され、ディスプレイモジュールのうち第２透光領域に対応しない部分には視覚情報が出力されないようにしてもよい。
【００２０】
ドアカバーの背面には、第２透光領域を覆うように配置され、第２透光領域を有する検知領域に対するタッチ入力を検知するタッチセンサが取り付けられるようにしてもよい。
【００２１】
衣類処理装置は、検知領域のうち第２透光領域に対応しない領域のタッチ検知をアクティブにするか否かを制御する制御部をさらに有するようにしてもよい。
【００２２】
ドアカバーは、透光性材質で形成されるカバー本体と、カバー本体の背面を覆うように配置され、非透光領域を形成する遮蔽レイヤと、を有するようにしてもよい。
【００２３】
第１及び第２透光領域は、遮蔽レイヤが配置されていない部分であるようにしてもよい。
【００２４】
遮蔽レイヤは、第１透光領域周辺に形成される複数の遮蔽ドットを有し、遮蔽ドットは、第１透光領域側へ行くほど密度が低くなるように形成されるようにしてもよい。
【００２５】
ドアフレームには、周縁部に沿ってドアカバーの外周を囲む取付ガイドが突設されるようにしてもよい。
【００２６】
ドアカバーは、円形状に丸く形成される第１エッジ部と第１エッジ部の両側を直線状に連結する第２エッジ部とを有し、取付ガイドは、第１エッジ部に対応するように曲線状に延びる第１突出部と第２エッジ部に対応するように直線状に延びる第２突出部とを有するようにしてもよい。
【００２７】
第２突出部は、ドアフレームの下側に形成されるようにしてもよい。
【００２８】
ドアフレームは、前面にドアカバーとの接着のためのシーラントが充填されるシーラント充填溝が形成されるアウターフレームと、アウターフレームの背面側に結合され、結合時に外周部分がアウターフレームの前面から突出して取付ガイドを形成するインナーフレームと、を有するようにしてもよい。
【００２９】
シーラント充填溝は、シーラントの充填のためのシーラント塗布部と、シーラント塗布部の内外側にそれぞれ流出するシーラントを捕集するように、シーラント塗布部の両側にそれぞれ形成されるシーラント捕集部と、を有するようにしてもよい。
【００３０】
シーラント充填溝は、第１開口部と第２開口部との間を仕切るように形成される連結溝部と、連結溝部の両端部に連結され、連結溝部と共に第１開口部の周縁部を囲むように形成される第１溝部と、連結溝部の両端部に連結され、連結溝部と共に第２開口部の周縁部を囲むように形成される第２溝部と、を有するようにしてもよい。
【００３１】
シーラント充填溝は、連結溝部上の任意の地点（点、位置）と第１溝部上の任意の地点とを連結するバイパス溝部をさらに有するようにしてもよい。
【００３２】
バイパス溝部は、連結溝部と第１溝部とが形成する空間内に配置されるようにしてもよい。
【００３３】
本体は、外面から内側に窪んだ窪みが形成され、内部に衣類投入口を備えるドア収容部を備え、ドアが閉じた状態で、ドアは、ドア収容部に収容され、ドアカバーの外面縁部は、隣接する本体の外面と同一平面をなすようにしてもよい。
【００３４】
また、本発明は、衣類投入口を備える本体と、衣類投入口を開閉するように構成されるドアと、を有し、ドアは、ドアが閉じた状態で衣類投入口に対向する第１開口部と内部に取り付けられたディスプレイモジュールに対応する第２開口部とを備えるドアフレームと、第１及び第２開口部を覆うようにドアフレームに結合され、ドアの外観を形成するドアカバーと、を有し、ドアフレームには、ドアカバーとの接着のためのシーラントが充填され、第１及び第２開口部をそれぞれ囲むように形成されるシーラント充填溝が形成される、衣類処理装置を開示する。
【００３５】
シーラント充填溝は、第１開口部と第２開口部との間を仕切るように形成される連結溝部と、連結溝部の両端部に連結され、連結溝部と共に第１開口部の周縁部を囲むように形成される第１溝部と、連結溝部の両端部に連結され、連結溝部と共に第２開口部の周縁部を囲むように形成される第２溝部と、を有するようにしてもよい。
【００３６】
シーラント充填溝は、連結溝部と第１溝部とにより形成される内側空間に第１開口部を囲むように形成される第１シーラント捕集部と、連結溝部と第２溝部とにより形成される内側空間に第２開口部を囲むように形成される第２シーラント捕集部と、第１溝部及び第２溝部を囲むように形成される第３シーラント捕集部と、をさらに有するようにしてもよい。
【００３７】
さらに、本発明は、衣類投入口を備える本体と、衣類投入口を開閉するように構成されるドアと、を有し、ドアは、衣類投入口に対応する開口部を備えるドアフレームと、ドアフレームと結合してドアの外観を形成し、円形状に丸く形成される第１エッジ部と第１エッジ部の両側を直線状に連結する第２エッジ部とを備えるドアカバーと、を有し、ドアフレームには、周縁部に沿ってドアカバーの外周を囲む取付ガイドが突設され、取付ガイドは、第１エッジ部に対応するように曲線状に延びる第１突出部と、第２エッジ部に対応するように直線状に延びる第２突出部と、を有する、衣類処理装置を開示する。
【００３８】
第２突出部は、ドアフレームの下側に形成されるようにしてもよい。
【００３９】
一方、本発明は、衣類投入口を備える本体と、衣類投入口を開閉するように構成されるドアと、を有し、ドアは、ドアフレームと、ドアフレームと結合してドアの外観を形成し、非透光領域及び透光領域を備えるドアカバーと、ドアフレームに取り付けられ、ドアカバーの透光領域を介して視覚情報を出力するディスプレイモジュールと、ドアカバーの背面に取り付けられ、透光領域に対するタッチ入力を検知するタッチセンサと、を有し、タッチセンサは、透光領域及び透光領域に隣接する非透光領域の少なくとも一部を有する検知領域を形成する、衣類処理装置を開示する。
【００４０】
衣類処理装置は、検知領域のうち透光領域に対応しない領域のタッチ検知をアクティブにするか否かを制御する制御部をさらに有するようにしてもよい。
【００４１】
透光領域は、ディスプレイモジュールより小さく形成され、ドアカバーがドアフレームに結合されたときにディスプレイモジュール内に重なるように配置され、ディスプレイモジュールのうち透光領域に対応しない部分には視覚情報が出力されないようにしてもよい。
【００４２】
さらに、本発明は、衣類投入口を備える本体と、衣類投入口を開閉するように構成されるドアと、を有し、ドアは、ドアフレームと、ドアフレームに取り付けられ、透光領域を備えるドアカバーと、ドアフレームに取り付けられる取付フレームと、取付フレームに取り付けられ、ドアカバーの透光領域を介して視覚情報を出力するディスプレイと、ドアフレームと取付フレームとの間に配置され、ディスプレイを囲むように形成されるディスプレイシール部材と、を有する、衣類処理装置を開示する。
【００４３】
ドアカバーは、ドアフレームの一側に取り付けられ、取付フレームは、ドアフレームの他側に取り付けられるようにしてもよい。
【００４４】
ドアフレームは、ドアカバーの取り付けのためにドアフレームの前面に形成される第１取付部と、取付フレームの取り付けのために第１取付部の内側に凹設される第２取付部と、を備え、ドアカバーがドアフレームに取り付けられた状態で、ドアカバーは、取付フレームを覆うように配置されるようにしてもよい。
【００４５】
取付フレーム及びドアフレームのいずれか一方には、ディスプレイシール部材の一部を収容し、ディスプレイを囲むように形成される収容溝が形成されるようにしてもよい。
【００４６】
ディスプレイシール部材の他の一部は、収容溝から突出し、取付フレームがドアフレームに取り付けられたときに取付フレーム及びドアフレームの他方に接触するようにしてもよい。
【００４７】
ディスプレイシール部材は、取付フレーム及びドアフレームの他方にそれぞれ接触する複数の接触部を備え、複数の接触部は、幅方向に離隔して配置され、かつ長手方向に平行に延びて複数のシールループを形成するようにしてもよい。
【００４８】
衣類処理装置は、透光性材質で形成され、ディスプレイを覆うように配置されるディスプレイカバーと、取付フレームとディスプレイカバーとの間隙を埋めるように形成される充填剤と、をさらに有するようにしてもよい。
【００４９】
ドアフレームは、前面にドアカバーとの接着のためのシーラントが充填されるシーラント充填溝が形成され、背面に取付フレームが取り付けられるアウターフレームと、アウターフレームの背面側に結合され、取付フレームを覆うように配置されるインナーフレームと、を有するようにしてもよい。
【００５０】
インナーフレームの外周部分は、アウターフレームの前面から突出し、ドアカバーの外周を囲む取付ガイドを形成するようにしてもよい。
【００５１】
インナーフレームには、アウターフレームとインナーフレームとにより形成される内部空間に連通する連通部が形成され、インナーフレームには、連通部を開閉するフレームカバーが着脱可能に結合されるようにしてもよい。
【００５２】
衣類処理装置は、ドアカバーの背面に取り付けられ、透光領域に対するタッチ入力を検知するタッチセンサをさらに有するようにしてもよい。
【００５３】
ドアフレームには、ディスプレイに対応するディスプレイホール、及びタッチセンサのフレキシブルプリント基板（Flexible Printed Circuit Board：ＦＰＣ）が通過するＦＰＣホールが形成され、取付フレームには、フレキシブルプリント基板が通過する連通孔が形成されるようにしてもよい。
【００５４】
ディスプレイシール部材は、ディスプレイ及び連通孔を共に囲むように形成されるようにしてもよい。
【００５５】
取付フレームの一側には、ディスプレイが取り付けられ、取付フレームの他側には、ディスプレイ及びフレキシブルプリント基板に電気的に接続されるプリント基板（Printed Circuit Board：ＰＣＢ）が取り付けられるようにしてもよい。
【００５６】
取付フレームの他側には、外部の電子機器との無線通信が可能な無線通信モジュールがさらに取り付けられるようにしてもよい。
【００５７】
衣類処理装置は、取付フレームに取り付けられ、プリント基板を覆うように配置されるＰＣＢカバーと、取付フレームとＰＣＢカバーとの間に配置され、プリント基板を囲むように形成されるＰＣＢシール部材と、をさらに有するようにしてもよい。
【００５８】
ＰＣＢシール部材は、プリント基板及び連通孔を共に囲むように形成されるようにしてもよい。
【００５９】
取付フレーム及びＰＣＢカバーのいずれか一方には、ＰＣＢシール部材の一部を収容し、プリント基板を囲むように形成される取付溝が形成されるようにしてもよい。
【００６０】
ＰＣＢシール部材の他の一部は、取付溝から突出し、ＰＣＢカバーが取付フレームに取り付けられたときに取付フレーム及びＰＣＢカバーの他方に接触するようにしてもよい。
【００６１】
ＰＣＢシール部材は、取付フレーム及びＰＣＢカバーの他方にそれぞれ接触する複数の接触部を備え、複数の接触部は、幅方向に離隔して配置され、かつ長手方向に平行に延びて複数のシールループを形成するようにしてもよい。
【００６２】
さらに、本発明は、衣類投入口を備える本体と、衣類投入口を開閉するように構成されるドアと、を有し、ドアは、本体に対して相対移動可能に構成されるドアフレームと、ドアフレームと結合してドアの外観を形成するドアカバーと、ドアカバーの背面上に配置されるディスプレイモジュールと、を有し、ディスプレイモジュールは、両側にディスプレイ取付部及びプリント基板取付部をそれぞれ備える取付フレームと、プリント基板取付部を覆うように取付フレームに取り付けられるＰＣＢカバーと、ドアフレームと取付フレームとの間に配置され、ディスプレイ取付部を囲むように形成されるディスプレイシール部材と、取付フレームとＰＣＢカバーとの間に配置され、プリント基板取付部を囲むように形成されるＰＣＢシール部材と、を有する、衣類処理装置を開示する。
【００６３】
ディスプレイシール部材は、取付フレームにそれぞれ接触する複数の接触部を備え、複数の接触部は、幅方向に離隔して配置され、かつ長手方向に平行に延びて複数のシールループを形成するようにしてもよい。
【００６４】
ＰＣＢシール部材は、ＰＣＢカバーにそれぞれ接触する複数の接触部を備え、複数の接触部は、幅方向に離隔して配置され、かつ長手方向に平行に延びて複数のシールループを形成するようにしてもよい。
【００６５】
さらに、本発明は、衣類投入口を備える本体と、衣類投入口を開閉するように構成されるドアと、を有し、ドアは、本体に対して相対移動可能に構成されるドアフレームと、ドアフレームと結合してドアの外観を形成するドアカバーと、ドアカバーの背面上に配置されるディスプレイモジュールと、を有し、ドアカバーとディスプレイモジュールとの間には、ディスプレイシール部材が、ディスプレイモジュールに備えられるディスプレイを囲むように構成される、衣類処理装置を開示する。
【発明の効果】
【００６６】
本発明によれば、ドアカバーに非透光領域と上記非透光領域内で互いに区分された第１及び第２透光領域とが形成され、上記第１及び第２透光領域にそれぞれウィンドウ部及びディスプレイ部（又はタッチスクリーン）が構成されるので、シンプルなドアの外観を実現することができる。特に、円形のドアに対応するように上記第１及び第２透光領域が円形に形成された場合、ユーザに一体化した審美感を与えることができる。
【００６７】
また、第２透光領域が長方形のディスプレイ内に重なるように配置される円形状に形成された場合、円形の第２透光領域に対応する部分にのみ視覚情報が出力され、ユーザに円形のディスプレイ部を提供することができる。このとき、制御部は、ディスプレイのうち第２透光領域に対応しない部分における視覚情報の出力を制御することにより、電力を節減することができる。
【００６８】
本発明においては、ドアフレームの取付ガイドがドアカバーの第１及び第２エッジ部にそれぞれ対応する曲線状の第１突出部及び直線状の第２突出部から構成されており、ドアカバーをドアフレームに組み付ける際に第２エッジ部及び第２突出部が設置位置を合わせるための基準となる。すなわち、第２エッジ部を第２突出部に対応するように配置すると、ドアカバーがドアフレーム上の定位置に配置され、ドアカバーの第１及び第２透光領域がドアフレームの第１及び第２開口部に対応するように配置される。
【００６９】
本発明においては、ドアカバーをアウターフレームに結合する過程でシーラント塗布部に充填されたシーラントが漏れ出ても、漏れ出たシーラントが内外側にそれぞれ備えられたシーラント捕集部に捕集されるようになっている。こうすることにより、シーラントの漏れによる外観品質の低下を防止することができる。
【００７０】
また、上記構造によれば、シーラント塗布部をできるだけアウターフレームの縁部の近くに配置することができる。したがって、それに対応するドアカバーの縁部の非接合部分が最小限に抑えられるので、接合強度を向上させることができ、ドアカバーとアウターフレームとの間隙からの異物の浸透を効果的に防止することができる。
【００７１】
ドアフレームと取付フレームとの間にディスプレイシール部材が配置され、内部に備えられたディスプレイ及びタッチセンサのフレキシブルプリント基板への水分の浸透が防止される構造となる。ここで、取付フレームとディスプレイカバーとの間隙に充填剤が充填されるようにしてもよく、この場合、ディスプレイへの水分の浸透をさらに防止することができる。
【００７２】
また、取付フレームとＰＣＢカバーとの間にＰＣＢシール部材が配置され、内部に備えられたプリント基板及び無線通信モジュールへの水分の浸透が防止される構造となる。
【００７３】
上記ディスプレイシール部材及び上記ＰＣＢシール部材は、幅方向に離隔して配置され、かつ長手方向に平行に延びて複数のシールループを形成する複数の接触部を備えるようにしてもよい。この場合、いずれか１つの接触部により形成されるシールループが他の１つの接触部により形成されるシールループ内に配置され、シール構造の信頼性が向上する。
【図面の簡単な説明】
【００７４】
【図１】本発明の一実施形態による衣類処理装置を示す斜視図である。
【図２ａ】図１に示すドアが１次回転して衣類投入口が開放された状態を示す概念図である。
【図２ｂ】図２ａの状態からドアが２次回転した状態を示す概念図である。
【図３】図１に示すドアの分解斜視図である。
【図４】図１に示すドアの正面図である。
【図５】図３に示すドアカバーの背面図である。
【図６】図５のドアカバーの第１実施形態を示すＡ−Ａ’線断面図である。
【図７】図５に示す部分Ｂの拡大図である。
【図８】図５のドアカバーの第２実施形態を示すＡ−Ａ’線断面図である。
【図９】図５のドアカバーの第３実施形態を示すＡ−Ａ’線断面図である。
【図１０】図４のＣ−Ｃ’線断面図である。
【図１１】図４に示す部分Ｄにおけるドアカバーとドアフレームとを分離して示す概念図である。
【図１２】図３に示すドアフレームの第１実施形態を示す正面図である。
【図１３】図１２に示す部分Ｅの拡大図である。
【図１４】図３に示すドアフレームの第２実施形態を示す正面図である。
【図１５】図３に示すディスプレイモジュールを一方向から見た分解斜視図である。
【図１６】図３に示すディスプレイモジュールを他の方向から見た分解斜視図である。
【図１７】図１５に示す取付フレームの正面図である。
【図１８】図１５に示す取付フレームの背面図である。
【図１９】図１５に示す取付フレームにＰＣＢカバーが結合された状態を示す背面図である。
【図２０】図４のＦ−Ｆ’線断面図である。
【図２１】図３に示すディスプレイモジュールがドアフレームの内部に取り付けられた状態を示す概念図である。
【図２２】本発明の変形例によるドアの分解斜視図である。
【図２３】図２２に示すドアの断面図である。
【図２４】本発明の他の変形例を示す断面図である。
【図２５】本発明のさらに他の変形例を示す断面図である。
【図２６】本発明のさらに他の変形例を示す断面図である。
【発明を実施するための形態】
【００７５】
以下、本発明による衣類処理装置について図面を参照してより詳細に説明する。
【００７６】
単数の表現は、文脈上明らかに他の意味を表すものでない限り、複数の表現を含む。
【００７７】
異なる実施形態であっても、前の実施形態と同一又は類似の構成要素には同一又は類似の符号を付し、それについての重複する説明は省略する。
【００７８】
本明細書に開示された実施形態について説明する上で、関連する公知技術についての具体的な説明が本明細書に開示された実施形態の要旨を不明にすると判断される場合は、その詳細な説明を省略する。
【００７９】
添付図面は、本明細書に開示された実施形態を容易に理解できるようにするためのものにすぎず、添付図面により本明細書に開示された技術的思想が限定されるものではなく、本発明の思想及び技術範囲に含まれる全ての変更、均等物又は代替物を含むものと理解されるべきである。
【００８０】
図１は、本発明の一実施形態による衣類処理装置１を示す斜視図であり、図２ａ及び図２ｂは、図１に示すドア１０がそれぞれ１次回転及び２次回転して衣類投入口２０ａが開放された状態を示す概念図である。
【００８１】
同図を参照すると、衣類処理装置１は、本体２０及びドア１０を含む。
【００８２】
本体２０は、衣類処理装置１の外形を形成し、衣類が投入される衣類投入口２０ａを備える。本実施形態においては、六面体の形状を有する本体２０の前面部に衣類投入口２０ａが形成されたものを示す。
【００８３】
本体２０の内部には、衣類投入口２０ａから洗濯物が収容される衣類収容部が備えられる。
【００８４】
一例として、本発明の衣類処理装置１が洗濯物の乾燥のための装置で構成された場合、衣類収容部は、本体２０の内部に回転可能に備えられるドラム４０から構成されてもよい。
【００８５】
他の例として、本発明の衣類処理装置１が洗濯物の洗濯及び乾燥を共に行える装置で構成された場合、衣類収容部は、本体２０の内部に備えられて洗濯水が貯蔵されるタブ（図示せず）と、上記タブの内部に回転可能に備えられて洗濯物が収容されるドラム４０と、から構成されてもよい。
【００８６】
本体２０には、ドラム４０を回転させるように構成される駆動ユニット（図示せず）が備えられる。駆動ユニットは、駆動力を発生するモータと、上記駆動力を利用してドラム４０を回転させるベルトと、を含むものであってもよい。
【００８７】
本体２０には、洗剤供給部（図示せず）が引き出し及び引き込み可能に引き出し式に設けられてもよい。洗剤供給部を覆うカバー２１は、上下方向に回転可能に構成されてもよい。
【００８８】
本体２０には、電源ボタン２２が備えられ、衣類処理装置１の電源をオン／オフにするように構成されてもよい。後述するディスプレイ部１２がタッチスクリーンで構成された場合、タッチスクリーン１２に対するタッチ入力により、衣類処理装置１の電源をオン／オフにするように構成されてもよい。この場合、電源ボタン２２が備えられないので、よりシンプルな外観を実現することができる。
【００８９】
ドア１０は、衣類投入口２０ａを開閉するように本体２０に対して相対移動可能に構成される。図示のように、ドア１０は、ヒンジユニット３０により本体２０に対して回転可能に設けられてもよい。
【００９０】
本体２０は、外面から内側に窪んだ窪みが形成され、内部に衣類投入口２０ａを備えるドア収容部２０ｂを備えるようにしてもよい。ドア１０が閉じた状態で、ドア１０は、ドア収容部２０ｂに収容され、ドア１０の外面縁部は、それに隣接する本体２０の外面と同一平面をなすように配置されてもよい。
【００９１】
このようにドア１０がドア収容部２０ｂに収容される構造を有するので、ドア１０の開放時にドア１０が本体２０に引っ掛からないようにするために、ヒンジユニット３０は、異なる２つの回転軸を有する二重ヒンジ構造を有するようにしてもよい。この場合、図２ａ及び図２ｂに示すように、いずれか一方の回転軸に対する１次回転によりドア１０がドア収容部２０ｂから離隔し、その後、他方の回転軸に対する２次回転によりドア１０が回転するように構成されてもよい。
【００９２】
ドア１０の一側にヒンジユニット３０が取り付けられた構造において、ドア１０の他側には、ドア１０を本体２０に固定又は固定解除するロック装置が備えられる。ロック装置は、押圧式に構成され、ドア１０の他側を１回押すとドア１０がロックされ、もう１回押すとドア１０のロックが解除されるようにしてもよい。
【００９３】
ドア１０には、ウィンドウ部１１及びディスプレイ部１２が備えられる。
【００９４】
ドア１０が閉じた状態で、ウィンドウ部１１は、衣類投入口２０ａに対応するように配置され、衣類収容部を覗くことができるように構成される。よって、ユーザは、ウィンドウ部１１により衣類収容部に収容された衣類の状態を確認することができる。
【００９５】
ディスプレイ部１２は、衣類処理装置１で処理される情報を表示（出力）する。例えば、ディスプレイ部１２は、衣類処理装置１で駆動される工程（洗濯、脱水、乾燥などの工程）の実行画面情報、又はその実行画面情報に対応するＵＩ（User Interface）情報やＧＵＩ（Graphic User Interface）情報を表示するようにしてもよい。
【００９６】
以下では、ドア１０の詳細構造について説明する。
【００９７】
図３は、図１に示すドア１０の分解斜視図であり、図４は、図１に示すドア１０の正面図である。
【００９８】
図３及び図４を参照すると、ドア１０は、ドアフレーム１１０、ドアウィンドウ１２０、ディスプレイモジュール１３０及びドアカバー１４０を含む。前述したように、ドア１０には、本体２０との結合のためのヒンジユニット３０が取り付けられるが、同図においてはヒンジユニット３０を省略する。
【００９９】
本実施形態においては、ドア１０が円形（真円形、楕円形、少なくとも一部が丸く形成された丸い形を含む）に形成されたものを示す。しかし、本発明は必ずしもこれに限定されるものではない。ドア１０は、多角形（四角形、六角形など）に形成されてもよい。
【０１００】
ドアフレーム１１０は、本体２０に回転可能に結合され、そのためにヒンジユニット３０がドアフレーム１１０及び本体２０にそれぞれ結合される。
【０１０１】
図示のように、ドアフレーム１１０は、アウターフレーム１１１及びインナーフレーム１１２を含むものであってもよい。アウターフレーム１１１及びインナーフレーム１１２は、合成樹脂材質（例えば、ＡＢＳ材質、ＰＣ材質など）で形成されてもよい。
【０１０２】
なお、上記構成をアウターフレーム１１１及びインナーフレーム１１２と称する理由は、ドア１０が閉じた状態でドアフレーム１１０のみを見ると、アウターフレーム１１１は本体２０の外部に面し、インナーフレーム１１２は本体２０の内部に面するからである。このように区別せず、アウターフレーム１１１及びインナーフレーム１１２を第１フレーム及び第２フレームとそれぞれ称してもよい。
【０１０３】
ドアフレーム１１０は、ドア１０が閉じた状態で衣類投入口２０ａに対向する第１開口部１１０ａと、内部に取り付けられたディスプレイモジュール１３０に対応する第２開口部１１１ｂと、を備える。第１開口部１１０ａにドアウィンドウ１２０が設けられることから、第１開口部１１０ａはドアウィンドウホールと称してもよく、第２開口部１１１ｂにディスプレイモジュール１３０が取り付けられることから、第２開口部１１１ｂはディスプレイホールと称してもよい。第２開口部１１１ｂは、第１開口部１１０ａの上方に配置されるようにしてもよい。
【０１０４】
第１開口部１１０ａは、アウターフレーム１１１に形成された前方側開口１１１ａと、インナーフレーム１１２に形成された後方側開口１１２ａと、を含むものであってもよい。第２開口部１１１ｂは、アウターフレーム１１１に形成される。インナーフレーム１１２の後方側開口１１２ａの上方には連通部１１２ｂが形成されてもよく、連通部１１２ｂを通してディスプレイモジュール１３０をドアフレーム１１０の内部に取り付けることができる。
【０１０５】
ドアウィンドウ１２０は、第１開口部１１０ａに対応するようにドアフレーム１１０に設けられる。ドアウィンドウ１２０は、透光性材質（ガラス、合成樹脂材質など）で形成され、ドア１０が閉じた状態で衣類投入口２０ａに対応するように配置される。
【０１０６】
ドアフレーム１１０の内部には、ディスプレイモジュール１３０が設けられる。ディスプレイモジュール１３０は、第２開口部１１１ｂに対応するように配置され、ディスプレイモジュール１３０に備えられるディスプレイ１３２には、衣類処理装置１で処理される情報に関する視覚情報を出力するように構成される。
【０１０７】
また、ドアフレーム１１０には、タッチセンサ１６０のフレキシブルプリント基板１６１（ＦＰＣ）が通過できるＦＰＣホール１１１ｃが備えられてもよい。同図においては、第２開口部１１１ｂの一側にＦＰＣホール１１１ｃが備えられたものを示す。
【０１０８】
ドアフレーム１１０には、ドア１０の外観を形成するドアカバー１４０が結合される。ドアカバー１４０は、透光性を有するガラス材質又は合成樹脂材質で形成されてもよい。
【０１０９】
ドアカバー１４０は、非透光領域１４３と、非透光領域１４３内で第１開口部１１０ａに対応する第１透光領域１４１及び第２開口部１１１ｂに対応する第２透光領域１４２と、を含む。ここで、透光領域とは、光の少なくとも一部が透過するように構成され、反対側や内部が見えるように形成される領域を意味する。すなわち、透光領域は半透光領域を含む概念である。
【０１１０】
第１透光領域１４１及び第２透光領域１４２は、非透光領域１４３により互いに区画されている。本実施形態においては、円形のドア１０に対応するようにドアフレーム１１０及びドアカバー１４０が円形に形成され、ユーザに一体化した審美感を与えるように第１透光領域１４１及び第２透光領域１４２が円形に形成されたものを示す。
【０１１１】
ドアカバー１４０は、少なくとも一部分が曲がった形状に形成されてもよい。例えば、曲がった屈曲部により屈曲部の両側の第１カバー部と第２カバー部とが互いに対して傾斜して形成されてもよい。ここで、第１カバー部及び第２カバー部は平坦な形状に形成される。このようなドアカバー１４０に対応するように、ドアフレーム１１０も、少なくとも一部分が曲がった形状に形成されてもよい。
【０１１２】
本実施形態においては、第１透光領域１４１が第１カバー部及び屈曲部にわたって形成され、第２透光領域１４２が第２カバー部に形成されたものを示す。
【０１１３】
一方、第２透光領域１４２は、第２開口部１１１ｂより小さく形成され、ドアカバー１４０がドアフレーム１１０に結合されたときに第２開口部１１１ｂ内に重なるように配置される。
【０１１４】
図示のように、第２開口部１１１ｂは、四角形のディスプレイモジュール１３０に対応する四角形状に形成され、第２透光領域１４２は、第２開口部１１１ｂ内に重なるように配置される円形状に形成されてもよい。すなわち、第２透光領域１４２は、ディスプレイモジュール１３０の一部と重なるように配置され、非透光領域１４３は、ディスプレイモジュール１３０の他の一部を覆って遮蔽するように配置される。上記構成により、円形の第２透光領域１４２に対応する部分にのみ視覚情報が出力され、ユーザに円形のディスプレイ部１２を提供することができる。
【０１１５】
円形のディスプレイは、一般に広く用いられている四角形のディスプレイ１３２に比べて価格が高く、その形態により正確な設置位置を決定することが困難であるので組立不良が頻繁に発生する。しかし、上記構造によれば、より低コストでかつ正確な位置に組み付けることのできる四角形のディスプレイ１３２を使用しながらも、ユーザには円形に見えるディスプレイ部１２を提供することができる。
【０１１６】
第２透光領域１４２は、非透光領域１４３に囲まれるので、ディスプレイ１３２のうち第２透光領域１４２に対応しない部分に出力される視覚情報はユーザに見えない。これを考慮して、ディスプレイ１３２のうち第２透光領域１４２に対応しない部分には視覚情報が出力されないようにしてもよい。
【０１１７】
一例として、ディスプレイ１３２のうち第２透光領域１４２に対応する部分に衣類処理装置１で処理される情報に関する視覚情報が出力されている状態で、第２透光領域１４２に対応しない部分には上記視覚情報を囲む枠画像が出力されるようにしてもよい。上記枠画像は、第２透光領域１４２に対応しない部分であって、特定の系列の色（例えば、黒色）で表示されてもよい。
【０１１８】
他の例として、ディスプレイ１３２のうち第２透光領域１４２に対応する部分に衣類処理装置１で処理される情報に関する視覚情報が出力されている状態で、第２透光領域１４２に対応しない部分はオフになるように構成されてもよい。すなわち、ディスプレイモジュール１３０のうち第２透光領域１４２に対応しない部分には、視覚情報だけでなく、枠画像も出力されないようにしてもよい。本例においては、ディスプレイ１３２の一部のみ駆動されるので、ディスプレイ１３２全体が駆動される上記一例に比べて、ディスプレイ１３２を効率的に駆動することができ、それにより節電効果が得られる。
【０１１９】
図５は、図３に示すドアカバー１４０の背面図である。
【０１２０】
ドアカバー１４０に設けられたディスプレイ部１２は、タッチセンサ１６０とレイヤ構造をなすか又は一体に形成されることにより、タッチスクリーン１２を実現することができる。このようなタッチスクリーン１２は、衣類処理装置１とユーザとの間の入力インタフェースを提供するユーザ入力部として機能すると共に、衣類処理装置１とユーザとの間の出力インタフェースを提供することができる。例えば、洗濯、脱水、乾燥などの工程を行うための動作モードの選択及び変更は、ディスプレイ部１２に対するユーザのタッチ入力（又はタッチ）で実現されるようにしてもよい。
【０１２１】
ドアカバー１４０に対するタッチ入力を検知するために、ドア１０には、タッチセンサ１６０が備えられる。
【０１２２】
タッチセンサ１６０は、抵抗膜方式、静電容量方式、赤外線方式、超音波方式、電磁誘導方式などの様々なタッチ方式のうち少なくとも１つを用いて、ディスプレイ部（又はタッチスクリーン）１２に加わるタッチ入力を検知する。
【０１２３】
一例として、タッチセンサ１６０は、タッチスクリーン１２の特定の部位に加わった圧力又は特定の部位に発生する静電容量などの変化を電気的な入力信号に変換するように構成されてもよい。タッチセンサ１６０は、タッチスクリーン１２上にタッチを加えるタッチ手段によりタッチセンサ１６０上でタッチされる位置、面積、タッチ圧力などを検出できるように構成されてもよい。ここで、タッチ手段は、タッチセンサ１６０にタッチを加える物体であって、例えば指、タッチペン又はスタイラスペン、ポインタなどである。
【０１２４】
このように、タッチセンサ１６０に対するタッチ入力がある場合、それに対応する信号が制御器に送られる。制御器は、その信号を処理し、その後それに対応するデータを制御部（図示せず）に送る。それにより、制御部は、ディスプレイ部１２のどの領域がタッチされたかなどを認識することになる。ここで、制御器は、制御部とは別の構成であってもよく、制御部自体であってもよい。
【０１２５】
一方、制御部は、タッチスクリーン１２をタッチするタッチ手段の種類によって異なる制御を行うようにしてもよく、同じ制御を行うようにしてもよい。タッチ手段の種類によって異なる制御を行うか、同じ制御を行うかは、衣類処理装置１の動作状態又は実行中のアプリケーションプログラムによって決定されるようにしてもよい。
【０１２６】
タッチセンサ１６０は、タッチスクリーン１２へのショート（又はタップ）タッチ（short touch）、ロングタッチ（long touch）、マルチタッチ（multi touch）、ドラッグタッチ（drag touch）、フリックタッチ（flick touch）、ピンチインタッチ（pinch-in touch）、ピンチアウトタッチ（pinch-out touch）、スワイプタッチ（swipe touch）、ホバリングタッチ（hovering touch）など、様々な方式のタッチを検知することができる。
【０１２７】
タッチセンサ１６０は、第２透光領域１４２を含む検知領域に対するタッチ入力を検知するように構成される。
【０１２８】
本実施形態においては、タッチセンサ１６０がドアカバー１４０の背面に第２透光領域１４２及び第２透光領域１４２を囲む非透光領域１４３の一部を覆うように取り付けられたものを例示する。上記構成によれば、タッチセンサ１６０の検知領域は、第２透光領域１４２だけでなく、第２透光領域１４２を囲む非透光領域１４３の一部までも含む。よって、第２透光領域１４２を囲む非透光領域１４３の一部を用いた様々なＵＩ又はＧＵＩを提供することができる。
【０１２９】
上記構造において、タッチセンサ１６０は、タッチパターンを備えるタッチフィルム状に形成され、ドアカバー１４０とディスプレイモジュール１３０との間に配置されるようにしてもよい。タッチフィルムは、透明導電性フィルムで構成され、公知のＩＴＯフィルム（Indium-Tin Oxide film）、ＣＮＴフィルム（Carbon Nano Tube film）などを用いることができる。
【０１３０】
タッチフィルムは、１つ又は２つのレイヤで構成されてもよい。一例として、タッチフィルムが２つのレイヤで構成される方式［ＧＦＦ（Glass-Film-Film）］の場合、タッチフィルムは、ドアカバー１４０の背面に取り付けられてもよく、ディスプレイモジュール１３０上に取り付けられてもよい。他の例として、タッチフィルムが１つのレイヤで構成される方式［Ｇ１Ｆ（Glass-Film）］の場合、タッチフィルムは、ドアカバー１４０の背面に取り付けられてドアカバー１４０と一体に形成されるようにしてもよい。
【０１３１】
タッチセンサ１６０は、別途のタッチフィルムを備えるのではなく、メタルワイヤがドアカバー１４０の背面に直接パターニングされた形態で形成されてもよい［Ｇ２（Glass only）］。
【０１３２】
あるいは、タッチセンサ１６０は、ディスプレイモジュール１３０に備えられるディスプレイ１３２と一体に形成されてもよい。例えば、タッチセンサ１６０は、ディスプレイ１３２の基板上に配置される（オンセル）ようにしてもよく、ディスプレイ１３２の内部に備えられる（インセル）ようにしてもよい。
【０１３３】
一方、衣類処理装置１のディスプレイ部１２は、制御部により駆動が制御される。すなわち、制御部は、ディスプレイモジュール１３０のオン／オフ、視覚情報や画像の出力を制御し、タッチセンサ１６０のオン／オフを制御する。
【０１３４】
ここで、制御部は、タッチセンサ１６０の検知領域のうち第２透光領域１４２に対応しない領域のタッチ検知をアクティブにするか否かを制御するように構成されてもよい。例えば、タッチセンサ１６０の検知領域のうち第２透光領域１４２に対応しない領域のタッチ検知が必要な状態と不要な状態とを区分（区別）し、タッチ検知が不要な状態では上記対応しない領域のタッチ検知を非アクティブにするように構成されてもよい。このような制御によれば、ユーザのタッチ入力時のエラーを低減することができ、節電効果が得られる。
【０１３５】
図６は、図５のドアカバー１４０の第１実施形態を示すＡ−Ａ’線断面図である。
【０１３６】
図６を参照すると、ドアカバー１４０は、カバー本体１４０ａ及び遮蔽レイヤ１４０ｂを含む。
【０１３７】
カバー本体１４０ａは、透光性材質で形成される。カバー本体１４０ａは、透光性のガラス材質又は合成樹脂材質で形成されてもよい。カバー本体１４０ａは、少なくとも一部分が曲がった形状に形成されてもよい。
【０１３８】
遮蔽レイヤ１４０ｂは、カバー本体１４０ａの一面を覆うように配置され、非透光領域１４３を形成する。遮蔽レイヤ１４０ｂは、カバー本体１４０ａの前面又は背面に形成されてもよい。
【０１３９】
本実施形態においては、インキがカバー本体１４０ａの背面に印刷されて遮蔽レイヤ１４０ｂを形成したものを示す。上記インキには、特定の系列の色（例えば、黒色）を有する顔料が含まれてもよい。
【０１４０】
図示のように、第１透光領域１４１及び第２透光領域１４２には遮蔽レイヤ１４０ｂが配置されない。すなわち、第１透光領域１４１及び第２透光領域１４２は、遮蔽レイヤ１４０ｂにより覆われず、透光性のカバー本体１４０ａとして残る透明な部分である。
【０１４１】
第２透光領域１４２に対応するカバー本体１４０ａの背面にはタッチセンサ１６０が取り付けられてもよく、ここで、タッチセンサ１６０は、第２透光領域１４２を限定する遮蔽レイヤ１４０ｂの一部を覆うように構成されてもよい。
【０１４２】
図７は、図５に示す部分Ｂの拡大図である。
【０１４３】
図７を参照すると、ドアカバー１４０のうち第１透光領域１４１を限定する遮蔽レイヤ１４０ｂは、第１透光領域１４１側へ行くほど透明度が次第に変化するように形成されてもよい。
【０１４４】
例えば、第１透光領域１４１周辺の非透光領域１４３が第１透光領域１４１側へ行くほど次第に透明になるように構成されてもよい。そのために、遮蔽レイヤ１４０ｂは、第１透光領域１４１周辺に形成される複数の遮蔽ドット１４０ｂ’を含み、複数の遮蔽ドット１４０ｂ’は、第１透光領域１４１側へ行くほど密度が低くなるように形成されてもよい。
【０１４５】
このような網点（ハーフトーン）技法で第１透光領域１４１の境界を不明確にすることにより、非透光領域１４３から第１透光領域１４１まで視覚的に自然に変わるようにしてもよい。
【０１４６】
それに対して、第２透光領域１４２とそれを囲む非透光領域１４３とは、非透光領域１４３により境界線の形態で明確に区分されるようにしてもよい。
【０１４７】
図８は、図５のドアカバー１４０の第２実施形態を示すＡ−Ａ’線断面図である。
【０１４８】
カバー本体１４０ａの背面に遮蔽レイヤ１４０ｂが印刷される上記第１実施形態とは異なり、本実施形態においては、カバー本体２１４０ａの背面に非透光領域２１４３を形成するためのフィルム２１４０ｂが貼り付けられる。
【０１４９】
図示のように、フィルム２１４０ｂは、非透光領域２１４３に対応する非透光部２１４０ｂ３と、第１透光領域２１４１に対応する第１透光部２１４０ｂ１と、第２透光領域２１４２に対応する第２透光部２１４０ｂ２と、を含む。非透光部２１４０ｂ３は、第１透光部２１４０ｂ１及び第２透光部２１４０ｂ２を囲むように形成され、第１透光部２１４０ｂ１と第２透光部２１４０ｂ２とは、非透光部２１４０ｂ３により互いに区画される。
【０１５０】
ここで、非透光部２１４０ｂ３に対応する部分は、ドアカバー２１４０を不透明にする遮蔽レイヤとして機能し、非透光領域２１４３を形成する。第１透光部２１４０ｂ１及び第２透光部２１４０ｂ２に対応する部分は、透光性のカバー本体２１４０ａと共にそれぞれ第１透光領域２１４１及び第２透光領域２１４２を形成する。
【０１５１】
すなわち、上記第１実施形態とは異なり、第１透光領域２１４１及び第２透光領域２１４２は、透光性のカバー本体２１４０ａにフィルム２１４０ｂの透明な部分である第１透光部２１４０ｂ１及び第２透光部２１４０ｂ２がそれぞれ配置されることにより形成される。
【０１５２】
第２透光部２１４０ｂ２に対応するフィルム２１４０ｂの背面には、タッチセンサ２１６０が取り付けられてもよく、ここで、タッチセンサ２１６０は、第２透光部２１４０ｂ２を限定する非透光部２１４０ｂ３の一部を覆うように構成されてもよい。
【０１５３】
図９は、図５のドアカバー１４０の第３実施形態を示すＡ−Ａ’線断面図である。
【０１５４】
上記第２実施形態と同様に、本実施形態において、カバー本体３１４０ａの背面に遮蔽レイヤ３１４０ｂを形成するためのフィルム３１４０ｂが貼り付けられる。図示のように、フィルム３１４０ｂは、非透光領域３１４３に対応する非透光部３１４０ｂ３と、第１透光領域３１４１に対応する第１ホール３１４０ｂ１と、第２透光領域３１４２に対応する第２ホール３１４０ｂ２と、を含む。非透光部３１４０ｂ３は、第１ホール３１４０ｂ１及び第２ホール３１４０ｂ２を囲むように形成され、第１ホール３１４０ｂ１及び第２ホール２１４０ｂ２は、非透光部３１４０ｂ３により互いに区画される。
【０１５５】
ここで、非透光部３１４０ｂ３に対応する部分は、ドアカバー３１４０を不透明にする遮蔽レイヤとして機能し、非透光領域３１４３を形成する。第１透光領域３１４１及び第２透光領域３１４２に対応する部分には、第１ホール３１４０ｂ１及び第２ホール２１４０ｂ２が形成されることからフィルム３１４０ｂが配置されず、透光性のカバー本体３１４０ａとして残る。
【０１５６】
第２透光領域３１４２に対応するカバー本体３１４０ａの背面には、タッチセンサ３１６０が取り付けられてもよく、ここで、タッチセンサ３１６０は、第２ホール３１４０ｂ２を限定する非透光部３１４０ｂ３の一部を覆うように構成されてもよい。
【０１５７】
図１０は、図４のＣ−Ｃ’線断面図である。
【０１５８】
図１０を参照すると、ドアカバー１４０はドアフレーム１１０に結合される。上記結合のために、液状のシーラント１７１が用いられてもよい。ドアカバー１４０とドアフレーム１１０との結合構造の詳細については後述する。
【０１５９】
前述したように、ドアフレーム１１０は、アウターフレーム１１１及びインナーフレーム１１２を含むものであってもよい。
【０１６０】
アウターフレーム１１１は、前面にドアカバー１４０が取り付けられるように構成される。インナーフレーム１１２は、アウターフレーム１１１の背面側に結合される。アウターフレーム１１１とインナーフレーム１１２との結合は、螺合、フック結合、ボンディング結合などにより行われてもよい。
【０１６１】
同図においては、アウターフレーム１１１とインナーフレーム１１２とがボンディング結合により結合された構造を示す。具体的には、インナーフレーム１１２に締結リブ１１２ｄが突設され、アウターフレーム１１１の背面に締結リブ１１２ｄを収容するリブ収容部１１１ｅが突設され、リブ収容部１１１ｅ内にボンディング部材１７２が充填される。
【０１６２】
一方、アウターフレーム１１１とインナーフレーム１１２とが結合されると、インナーフレーム１１２の外周部分がアウターフレーム１１１の前面から突出して取付ガイド１１２ｃを形成するようにしてもよい。取付ガイド１１２ｃは、アウターフレーム１１１の周縁部に沿ってループ状に延設され、内部にドアカバー１４０が収容される空間を形成する。
【０１６３】
取付ガイド１１２ｃは、ドアカバー１４０の側面を囲むように配置され、取付ガイド１１２ｃの上面が隣接するドアカバー１４０の上面と同一平面をなすように所定高さで突設されてもよい。上記構成によれば、取付ガイド１１２ｃとドアカバー１４０との段差が小さくなり、よりシンプルな外観を実現することができる。
【０１６４】
図１１は、図４に示す部分Ｄにおけるドアカバー１４０とドアフレーム１１０とを分離して示す概念図である。
【０１６５】
一般に、特異な形状を有する部分（例えば、頂点部分、凹んだ部分など）は、組み付け時に設置位置を合わせるための基準となり、組み付けを容易にする。しかし、本実施形態のように、ドアカバー１４０が円形に形成された場合は、エッジ部が曲線状であるので、組み付け時に設置位置を合わせるための適当な部分がないという問題がある。特に、本発明の場合は、ドアカバー１４０がドアフレーム１１０上の正確な位置に結合されないと、ドアカバー１４０の第１透光領域１４１及び第２透光領域１４２がドアフレーム１１０の第１開口部１１０ａ及び第２開口部１１１ｂに対応しなくなるという問題が生じる。
【０１６６】
上記問題を解決するために、図１１に示すように、ドアカバー１４０は、ドアフレーム１１０との組み付け時に設置位置を合わせるための基準となる部分を備える。
【０１６７】
具体的には、ドアカバー１４０は、丸く形成される第１エッジ部１４０’と、第１エッジ部１４０’の両側を連結する第２エッジ部１４０’’と、を含む。図示のように、ドアカバー１４０は、一部を直線状に切り欠いた円形を有してもよい。第２エッジ部１４０’’は、直線状、凹凸状など、第１エッジ部１４０’と形状的に区別されるものであればいかなる形状を有してもよい。
【０１６８】
前述した取付ガイド１１２ｃは、第１エッジ部１４０’に対応するように曲線状に延びる第１突出部１１２ｃ’と、第２エッジ部１４０’’に対応するように直線状に延びる第２突出部１１２ｃ’’と、を含む。
【０１６９】
上記構成において、第２エッジ部１４０’’及び第２突出部１１２ｃ’’は、ドアカバー１４０とドアフレーム１１０との組み付け時に設置位置を合わせるための基準となる。すなわち、第２エッジ部１４０’’が第２突出部１１２ｃ’’に対応するように配置すると、ドアカバー１４０がドアフレーム１１０上の定位置に配置され、ドアカバー１４０の第１透光領域１４１及び第２透光領域１４２がドアフレーム１１０の第１開口部１１０ａ及び第２開口部１１１ｂに対応するように配置される。
【０１７０】
第２突出部１１２ｃ’’はドアフレーム１１０のどこに配置されてもよいが、ドア１０が切り欠いた円形状であることをユーザが認識しにくくするために、第２突出部１１２ｃ’’は、ドアフレーム１１０の下側に形成されることが好ましい。
【０１７１】
以下では、ドアカバー１４０とドアフレーム１１０との結合構造について説明する。
【０１７２】
図１２は、図３に示すドアフレーム１１０の第１実施形態を示す正面図であり、図１３は、図１２に示す部分Ｅの拡大図である。
【０１７３】
前述したように、ドア１０は、アウターフレーム１１１の前面に結合される。上記結合のために、シーラント１７１が用いられ、アウターフレーム１１１の前面にはシーラント１７１が充填されるシーラント充填溝１１１ｄが形成される。
【０１７４】
シーラント充填溝１１１ｄは、第１開口部１１０ａ及び第２開口部１１１ｂをそれぞれ囲むように形成される。そのために、シーラント充填溝１１１ｄは、連結溝部１１１ｄ’３、第１溝部１１１ｄ’１及び第２溝部１１１ｄ’２を含む。
【０１７５】
連結溝部１１１ｄ’３は、第１開口部１１０ａと第２開口部１１１ｂとの間を仕切るように形成される。連結溝部１１１ｄ’３は、図示のように直線状に形成されてもよく、少なくとも一部分が曲がった形状［例えば、第２開口部１１１ｂの両側及び下側を囲む「Ｕ」字状］に形成されてもよい。
【０１７６】
第１溝部１１１ｄ’１は、連結溝部１１１ｄ’３の両端部に連結され、連結溝部１１１ｄ’３と共に第１開口部１１０ａの周縁部を囲むように形成される。第１溝部１１１ｄ’１は、アウターフレーム１１１の内側周縁部に沿って延設されてもよい。
【０１７７】
第２溝部１１１ｄ’２は、連結溝部１１１ｄ’３の両端部に連結され、連結溝部１１１ｄ’３と共に第２開口部１１１ｂの周縁部を囲むように形成される。第２溝部１１１ｄ’２は、アウターフレーム１１１の内側周縁部に沿って延設されてもよい。
【０１７８】
第１溝部１１１ｄ’１と第２溝部１１１ｄ’２とは、連結溝部１１１ｄ’３の両端部で連通するように形成されてもよい。
【０１７９】
同図においては、第１及び第２溝部１１１ｄ’１、１１１ｄ’２がアウターフレーム１１１の内側周縁部に沿って延設されて円形の溝を形成し、連結溝部１１１ｄ’３が上記円形の溝の内部を仕切るように直線状に延設されたものを示す。
【０１８０】
一方、同図及び図１０を共に参照すると、シーラント充填溝１１１ｄは、シーラント塗布部１１１ｄ’及びシーラント捕集部１１１ｄ’’を含むものであってもよい。
【０１８１】
シーラント塗布部１１１ｄ’は、シーラント１７１の充填のための部分であり、前述した連結溝部１１１ｄ’３、第１溝部１１１ｄ’１及び第２溝部１１１ｄ’２を備える。
【０１８２】
シーラント塗布部１１１ｄ’の両側には、シーラント塗布部１１１ｄ’の内外側にそれぞれ流出するシーラント１７１を捕集するためのシーラント捕集部１１１ｄ’’が備えられる。シーラント捕集部１１１ｄ’’は、シーラント塗布部１１１ｄ’から所定間隔離隔した状態でシーラント塗布部１１１ｄ’に沿って平行に延設されてもよい。シーラント捕集部１１１ｄ’’は、シーラント塗布部１１１ｄ’より狭い幅にしてもよい。
【０１８３】
シーラント塗布部１１１ｄ’とシーラント捕集部１１１ｄ’’との間には、突部１１１ｆが所定高さで突設されてもよい。突部１１１ｆは、アウターフレーム１１１の前面に対応する高さで突設されてもよく、この場合、突部１１１ｆは、ドアカバー１４０を支持する支持面として機能する。
【０１８４】
本実施形態においては、シーラント捕集部１１１ｄ’’が第１〜第３シーラント捕集部１１１ｄ’’１、１１１ｄ’’２、１１１ｄ’’３から構成されたものを例示する。
【０１８５】
第１シーラント捕集部１１１ｄ’’１は、シーラント塗布部１１１ｄ’の内側に備えられ、第１開口部１１０ａを囲むように形成される。第１シーラント捕集部１１１ｄ’’１は、連結溝部１１１ｄ’３及び第１溝部１１１ｄ’１に沿って延設されてもよい。
【０１８６】
第２シーラント捕集部１１１ｄ’’２は、シーラント塗布部１１１ｄ’の内側に備えられ、第２開口部１１１ｂを囲むように形成される。第２シーラント捕集部１１１ｄ’’２は、連結溝部１１１ｄ’３及び第２溝部１１１ｄ’２に沿って延設されてもよい。
【０１８７】
第３シーラント捕集部１１１ｄ’’３は、シーラント塗布部１１１ｄ’の外側に備えられ、シーラント塗布部１１１ｄ’を覆うように形成される。第３シーラント捕集部１１１ｄ’’３は、第１溝部１１１ｄ’１及び第２溝部１１１ｄ’２に沿って延設され、円形を有するようにしてもよい。
【０１８８】
上記構造によれば、ドアカバー１４０をアウターフレーム１１１に結合する過程でシーラント塗布部１１１ｄ’に充填されたシーラント１７１が漏れ出ても、漏れ出たシーラント１７１を内外側にそれぞれ備えられたシーラント捕集部１１１ｄ’’に捕集することができる。こうすることにより、シーラント１７１の漏れによる外観品質の低下を防止することができる。
【０１８９】
また、上記構造によれば、シーラント塗布部１１１ｄ’をできるだけアウターフレーム１１１の縁部の近くに配置することができる。したがって、それに対応するドアカバー１４０の縁部の非接合部分が最小限に抑えられるので、接合強度を向上させることができ、ドアカバー１４０とアウターフレーム１１１との間隙からの異物の浸透を効果的に防止することができる。
【０１９０】
図１４は、図３に示すドアフレーム１１０の第２実施形態を示す正面図である。
【０１９１】
上記実施形態と同様に、本実施形態において、シーラント充填溝４１１１ｄは、連結溝部４１１１ｄ’３、第１溝部４１１１ｄ’１及び第２溝部４１１１ｄ’２を備え、第１開口部４１１０ａ及び第２開口部４１１１ｂをそれぞれ囲むように形成される。シーラント充填溝４１１１ｄは、シーラント塗布部及びシーラント捕集部を含むものであってもよく、それについての説明は上記第１実施形態で説明した通りである。
【０１９２】
本実施形態において、シーラント充填溝４１１１ｄは、連結溝部４１１１ｄ’３上の任意の地点（点、位置）と第１溝部４１１１ｄ’１上の任意の地点とを連結するバイパス溝部４１１１ｄ’４をさらに含む。図示のように、バイパス溝部４１１１ｄ’４は、連結溝部４１１１ｄ’３と第１溝部４１１１ｄ’１とが形成する空間内に配置される。
【０１９３】
よって、連結溝部４１１１ｄ’３又は第１溝部４１１１ｄ’１に充填されるシーラントの一部が分岐したバイパス溝部４１１１ｄ’４に流入し、ドアカバーとドアフレーム４１１０との結合箇所が増えるという効果を引き起こす。したがって、ドアカバーとドアフレーム４１１０との結合力が増大する。
【０１９４】
バイパス溝部４１１１ｄ’４も、シーラントの充填のためのシーラント塗布部と、上記シーラント塗布部の内外側にそれぞれ流出するシーラントを捕集するために上記シーラント塗布部の両側に備えられるシーラント捕集部と、を含むものであってもよい。
【０１９５】
一方、ドアフレーム１１０にはディスプレイモジュール１３０が内蔵されるが、ドア１０は、衣類投入口２０ａを開閉する構成であることから、ディスプレイモジュール１３０に水分が浸透する恐れがある。よって、ディスプレイモジュール１３０のシールは、ディスプレイ部１２の駆動信頼性確保の面で重要な問題といえる。
【０１９６】
以下では、ディスプレイモジュール１３０のシール構造について説明する。
【０１９７】
図１５及び図１６は、図３に示すディスプレイモジュール１３０を異なる方向から見た分解斜視図である。図１７は、図１５に示す取付フレーム１３１の正面図であり、図１８は、図１５に示す取付フレーム１３１の背面図であり、図１９は、図１５に示す取付フレーム１３１にＰＣＢカバー１３７が結合された状態を示す背面図である。
【０１９８】
図１５〜図１９を参照すると、ディスプレイモジュール１３０は、取付フレーム１３１、ディスプレイ１３２及びディスプレイシール部材１３３を含む。
【０１９９】
取付フレーム１３１は、一面にディスプレイ１３２が取り付けられるディスプレイ取付部１３１ａを備える。ディスプレイ取付部１３１ａは、取付フレーム１３１の前面から背面に向かってディスプレイ１３２に対応する形状に凹んだ空間で構成されてもよく、ディスプレイ１３２の周縁部に対応するように突設されるリブにより限定される内部空間で構成されてもよい。
【０２００】
取付フレーム１３１は、合成樹脂材質（例えば、ＡＢＳ材質、ＰＣ材質など）で形成されてもよい。
【０２０１】
取付フレーム１３１には連通孔１３１ｂが形成されてもよい。連通孔１３１ｂは、ディスプレイ取付部１３１ａの一側に備えられ、ディスプレイ取付部１３１ａとは区別される空間になるようにしてもよい。
【０２０２】
タッチセンサ１６０のフレキシブルプリント基板１６１は、ドアフレーム１１０に形成されたＦＰＣホール１１１ｃと取付フレーム１３１に形成された連通孔１３１ｂとを介してプリント基板１３５に電気的に接続されるように構成されてもよい。連通孔１３１ｂは、タッチセンサ１６０のフレキシブルプリント基板１６１だけでなく、ディスプレイ１３２のフレキシブルプリント基板が通過するように構成されてもよい。
【０２０３】
ディスプレイ１３２は、取付フレーム１３１に取り付けられ、視覚情報を出力するように構成される。ディスプレイ１３２は、液晶表示装置（Liquid Crystal Display：ＬＣＤ）、薄膜トランジスタ液晶表示装置（Thin Film Transistor-Liquid Crystal Display：ＴＦＴ  ＬＣＤ）、有機発光ダイオード（Organic Light-Emitting Diode：ＯＬＥＤ）、フレキシブルディスプレイ（Flexible Display）、３次元ディスプレイ（3D Display）、電子インクディスプレイ（E-ink Display）の少なくとも１つを含むものであってもよい。
【０２０４】
ディスプレイ１３２としては、一般に広く用いられている四角形、とりわけ横と縦との長さが異なる長方形のディスプレイ１３２が用いられる。前述したように、長方形のディスプレイ１３２は、円形のディスプレイに比べて安価であり、特異な形状を有する部分（頂点を有し、横と縦との長さが異なる）により、取付フレーム１３１に取り付ける際に正確な取付位置を決定することが容易であるという利点がある。
【０２０５】
ディスプレイ１３２が長方形に形成され、第２透光領域１４２が円形に形成される場合は、ディスプレイ１３２の横と縦のうち短い部分の長さが、第２透光領域１４２の直径［第２透光領域１４２が楕円形に形成される場合は、第２透光領域１４２の長軸］より長くなければならない。上記条件により、第２透光領域１４２全体に視覚情報を出力することができるようになる。
【０２０６】
ディスプレイ１３２として長方形のディスプレイ１３２が用いられるが、ディスプレイ１３２に重なる円形の第２透光領域１４２がドアカバー１４０に形成されることにより、ユーザに円形のディスプレイ部１２を提供することができる。また、制御部は、ディスプレイ１３２のうち第２透光領域１４２に対応しない部分における視覚情報の出力を制御することにより、電力を節減することができる。
【０２０７】
ディスプレイ１３２上には、透光性材質で形成され、ディスプレイ１３２を覆うように配置されるディスプレイカバー１３４がさらに備えられてもよい。ディスプレイカバー１３４は、ディスプレイ１３２を覆って保護する機能を有する。ディスプレイカバー１３４は、合成樹脂材質（例えば、アクリル材質、ＰＥＴ材質、ＴＰＵ材質など）で形成されてもよい。
【０２０８】
ドアフレーム１１０と取付フレーム１３１との間には、ディスプレイ１３２を囲むように形成されるディスプレイシール部材１３３が配置される。取付フレーム１３１に連通孔１３１ｂが備えられる場合、水密構造の信頼性の向上のために、ディスプレイシール部材１３３は、ディスプレイ１３２及び連通孔１３１ｂを共に囲むように形成されることが好ましい。
【０２０９】
ディスプレイシール部材１３３は、ドアフレーム１１０に固定されてもよく、取付フレーム１３１に固定されてもよい。本実施形態においては、ディスプレイシール部材１３３が取付フレーム１３１に固定され、取付フレーム１３１がドアフレーム１１０に取り付けられて内部空間をシールするように構成されたものを例示する。そのために、取付フレーム１３１には、ディスプレイシール部材１３３の固定のための収容溝１３１ｆが形成され、収容溝１３１ｆは、ディスプレイ１３２を囲むように形成される。前述したように、取付フレーム１３１に連通孔１３１ｂが備えられる場合、水密構造の信頼性の向上のために、収容溝１３１ｆは、ディスプレイ１３２及び連通孔１３１ｂを共に囲むように形成されることが好ましい。
【０２１０】
ディスプレイシール部材１３３は、取付フレーム１３１にそれぞれ接触する複数の接触部１３３ａ、１３３ｂを備えてもよい。複数の接触部１３３ａ、１３３ｂは、幅方向に離隔して配置され、かつ長手方向に平行に延びて複数のシールループを形成する。よって、いずれか一方の接触部１３３ａ、１３３ｂにより形成されるシールループは、他方の接触部１３３ａ、１３３ｂにより形成されるシールループ内に配置され、シール構造の信頼性が向上する。
【０２１１】
一方、ディスプレイモジュール１３０は、プリント基板（ＰＣＢ）１３５、ＰＣＢカバー１３７及びＰＣＢシール部材１３８をさらに含むものであってもよい。
【０２１２】
プリント基板１３５は、ディスプレイ１３２に電気的に接続され、取付フレーム１３１に取り付けられる。本実施形態においては、取付フレーム１３１の前面にディスプレイ１３２が取り付けられ、背面にプリント基板１３５が取り付けられた構造を示す。タッチセンサ１６０が備えられる場合、プリント基板１３５は、連通孔１３１ｂを通過したタッチセンサ１６０のフレキシブルプリント基板１６１に電気的に接続されるようにしてもよい。
【０２１３】
プリント基板１３５は、ディスプレイ１３２及びタッチセンサ１６０の駆動を制御する制御器であってもよく、制御部自体であってもよい。
【０２１４】
プリント基板１３５の取り付けのために、取付フレーム１３１の背面にプリント基板取付部１３１ｄが備えられてもよい。プリント基板取付部１３１ｄは、取付フレーム１３１の背面から前面に向かってプリント基板１３５に対応する形状に凹んだ空間で構成されてもよく、プリント基板１３５の周縁部に対応するように突設されるリブにより限定される内部空間で構成されてもよい。  
【０２１５】
取付フレーム１３１には、内部の電子機器又は外部の電子機器との無線通信が可能な無線通信モジュール１３６がさらに取り付けられてもよい。取付フレーム１３１には、無線通信モジュール１３６の取り付けのための無線通信モジュール取付部１３１ｅが備えられてもよく、無線通信モジュール取付部１３１ｅは、プリント基板取付部１３１ｄの一側に配置されてもよい。
【０２１６】
無線通信モジュール１３６は、Ｗｉ−Ｆｉ（登録商標）、ブルートゥース（登録商標）、ＲＦを用いた通信モジュールの少なくとも１つを含むものであってもよい。一例として、本発明の衣類処理装置１は、Ｗｉ−Ｆｉ（登録商標）通信モジュール又はブルートゥース（登録商標）通信モジュールによりユーザの移動端末機と無線通信を行うように構成されてもよい。他の例として、本発明の衣類処理装置１は、ＲＦ通信モジュールにより他の家電機器［例えば、他の衣類処理装置１］と無線通信を行うように構成されてもよい。
【０２１７】
ＰＣＢカバー１３７は、取付フレーム１３１に取り付けられ、プリント基板１３５を覆うように配置される。ＰＣＢカバー１３７は、螺合、フック結合、ボンディング結合などにより取付フレーム１３１に締結される。例えば、図示のように、取付フレーム１３１には、取付孔が形成された取付部１３７ａが備えられ、取付部材１３９ｂは、取付孔を貫通して取付フレーム１３１に螺合されるようにしてもよい。
【０２１８】
ドア１０は衣類投入口２０ａを開閉する構成であることから、ドア１０にディスプレイ部１２が備えられた本願発明の構造上、衣類投入口２０ａで生成された湿気がプリント基板１３５に流入する可能性がある。なお、ディスプレイ部が本体の上部に備えられた従来の衣類処理装置では、このような問題が生じる可能性がなかった。
【０２１９】
これを考慮して、取付フレーム１３１とＰＣＢカバー１３７との間にＰＣＢシール部材１３８が配置され、取付フレーム１３１とＰＣＢカバー１３７との間隙をシールするように構成されてもよい。ＰＣＢシール部材１３８は、プリント基板１３５を囲むように形成され、プリント基板１３５への水分の浸透を防止するように構成される。
【０２２０】
無線通信モジュール１３６がさらに備えられる場合、ＰＣＢシール部材１３８は、プリント基板１３５及び無線通信モジュール１３６を共に囲むように形成されることが好ましい。また、取付フレーム１３１に連通孔１３１ｂが備えられる場合、水密構造の信頼性の向上のために、ＰＣＢシール部材１３８は、連通孔１３１ｂも共に囲むように形成されることが好ましい。
【０２２１】
ＰＣＢシール部材１３８は、取付フレーム１３１に固定されてもよく、ＰＣＢカバー１３７に固定されてもよい。本実施形態においては、ＰＣＢシール部材１３８が取付フレーム１３１に固定され、取付フレーム１３１にＰＣＢカバー１３７が結合されて内部空間をシールするように構成されたものを例示する。
【０２２２】
そのために、取付フレーム１３１には、ＰＣＢシール部材１３８の固定のための取付溝１３１ｇが形成され、取付溝１３１ｇは、プリント基板１３５を囲むように形成される。前述したように、水密構造の信頼性の向上のために、取付溝１３１ｇは、無線通信モジュール１３６、連通孔１３１ｂなどを共に囲むように形成されてもよい。
【０２２３】
ＰＣＢシール部材１３８がＰＣＢカバー１３７に固定される構造の場合は、ＰＣＢカバー１３７にＰＣＢシール部材１３８の固定のための取付溝が形成されるようにしてもよい。
【０２２４】
ＰＣＢシール部材１３８は、ＰＣＢカバー１３７にそれぞれ接触する複数の接触部１３８ａ、１３８ｂを備えてもよい。複数の接触部１３８ａ、１３８ｂは、幅方向に離隔して配置され、かつ長手方向に平行に延びて複数のシールループを形成する。よって、いずれか一方の接触部１３８ａ、１３８ｂにより形成されるシールループは、他方の接触部１３８ａ、１３８ｂにより形成されるシールループ内に配置され、シール構造の信頼性が向上する。
【０２２５】
図２０は、図４のＦ−Ｆ’線断面図である。
【０２２６】
図２０を参照すると、ドアカバー１４０がドアフレーム１１０の一側に取り付けられた状態で、ディスプレイモジュール１３０はドアフレーム１１０の他側に取り付けられる。取付フレーム１３１は、螺合、フック結合、ボンディング結合などによりドアフレーム１１０に締結される。例えば、取付フレーム１３１には、締結孔が形成された締結部１３１ｃが備えられ、締結部材１３９ａは、締結孔を貫通してドアフレーム１１０に螺合される。
【０２２７】
本実施形態のように、ドアフレーム１１０がアウターフレーム１１１、インナーフレーム１１２及びフレームカバー１５０を含む場合、アウターフレーム１１１の前面には、ドアカバー１４０が取り付けられ、アウターフレーム１１１の背面には、取付フレーム１３１が第２開口部１１１ｂに対応するように取り付けられる。
【０２２８】
取付フレーム１３１がアウターフレーム１１１の背面に取り付けられた場合は、後述するように、フレームカバー１５０が分離されてディスプレイモジュール１３０がドア１０の後方に露出すると、取付フレーム１３１に締結された締結部材１３９ａを分離し、ディスプレイモジュール１３０を完全に外部に取り出すことができるので、構造的な利点がある。すなわち、取付フレーム１３１がアウターフレーム１１１の背面に取り付けられた構造においては、ディスプレイモジュール１３０のメンテナンスを容易に行うことができる。
【０２２９】
ディスプレイシール部材１３３は、取付フレーム１３１がアウターフレーム１１１に取り付けられたときに取付フレーム１３１とアウターフレーム１１１との間隙をシールするように構成される。ディスプレイシール部材１３３は、第２開口部１１１ｂ周辺のアウターフレーム１１１の取付面に密着し、第２開口部１１１ｂを囲むように形成される。
【０２３０】
ディスプレイシール部材１３３が取付フレーム１３１に固定された構造においては、取付フレーム１３１に収容溝１３１ｆが形成され、ディスプレイシール部材１３３の一部が収容溝１３１ｆに挿入固定されるように構成される。ディスプレイシール部材１３３の他の一部は、収容溝１３１ｆから突出し、取付フレーム１３１がドアフレーム１１０に取り付けられたときにドアフレーム１１０に接触（密着）するように構成される。上記接触により、ディスプレイシール部材１３３の内側空間が外側空間から分離され、上記内側空間への水分の浸透が防止される。
【０２３１】
以上、ディスプレイシール部材１３３が取付フレーム１３１に固定されたものを例に挙げて説明したが、本発明は必ずしもこれに限定されるものではない。図２４に関して後述するように、ディスプレイシール部材５１３３は、アウターフレーム５１１１の背面に固定されてもよく、この場合、アウターフレーム５１１１の背面には、ディスプレイシール部材５１３３の固定のための収容溝５１１１ｈが備えられるようにしてもよい。
【０２３２】
一方、ディスプレイ１３２がディスプレイ取付部１３１ａに取り付けられた状態で、取付フレーム１３１とディスプレイカバー１３４との間隙に充填剤１３３’が充填されるようにしてもよい。充填剤１３３’が上記間隙を埋めるように構成されることにより、ディスプレイ１３２への水分の浸透をさらに防止することができる。
【０２３３】
図２１は、図３に示すディスプレイモジュール１３０がドアフレーム１１０の内部に取り付けられた状態を示す概念図である。
【０２３４】
図２１及び図２０を共に参照すると、インナーフレーム１１２は、アウターフレーム１１１の背面側に結合され、ディスプレイモジュール１３０を覆うように配置される。すなわち、ディスプレイモジュール１３０は、アウターフレーム１１１とインナーフレーム１１２との結合により形成される内部空間に配置される。
【０２３５】
インナーフレーム１１２には、上記内部空間に連通する連通部１１２ｂが形成され、図示のように、ディスプレイモジュール１３０は、連通部１１２ｂを通して上記内部空間に挿入され、その後アウターフレーム１１１に設けられるようにしてもよい。アウターフレーム１１１には、取付フレーム１３１の締結部に対応する締結ボスが形成されてもよく、締結部材１３９ａは、締結部１３１ｃの締結孔を貫通して締結ボスに締結される。
【０２３６】
一方、プリント基板１３５は、本体２０の制御部（図示せず）及び電源供給部（図示せず）に電気的に接続されるように構成される。そのために、プリント基板１３５から延びるドア側ケーブル（図示せず）は、ドアフレーム１１０の内部に備えられるコネクタ（図示せず）に接続され、コネクタは、本体２０の制御部及び電源供給部に電気的に接続される本体側ケーブル（図示せず）に電気的に接続される。
【０２３７】
ドア側ケーブルは、ＰＣＢカバー１３７の貫通孔（図示せず）を貫通するように構成され、ドア側ケーブルと貫通孔との間には、シールのための密閉部材（図示せず）が介在するようにしてもよい。密閉部材は、ドア側ケーブルを囲むように形成され、貫通孔を形成するＰＣＢカバー１３７の内周面に密着するように構成される。
【０２３８】
ドアフレーム１１０は、前述したアウターフレーム１１１及びインナーフレーム１１２に加え、ディスプレイモジュール１３０を覆うように配置されるフレームカバー１５０をさらに含むものであってもよい。フレームカバー１５０は、インナーフレーム１１２と共にアウターフレーム１１１の後方側に結合され、ドア１０が衣類投入口２０ａを開放するように開いた状態で、ドアウィンドウ１２０と共にドア１０の背面の外観を形成するようにしてもよい。
【０２３９】
フレームカバー１５０が備えられるのではなく、インナーフレーム１１２がドアウィンドウ１２０と共にドア１０の背面全体を形成するように構成された場合は、ディスプレイモジュール１３０のメンテナンスを行う際に、インナーフレーム１１２全体を分離しなければならず、インナーフレーム１１２の開口１１２ａに取り付けられたドアウィンドウ１２０が共に分離されるという問題がある。
【０２４０】
しかし、前述したように、フレームカバー１５０が備えられた場合は、フレームカバーの着脱によりドアフレーム１１０の内部空間を開閉することができる。フレームカバー１５０が分離された状態で、上記内部空間に備えられたディスプレイモジュール１３０はドア１０の後方に露出する。よって、ディスプレイモジュール１３０のメンテナンスが必要な場合、フレームカバー１５０のみを分離すればよいので、メンテナンスをより容易に行うことができる。
【０２４１】
同図においては、インナーフレーム１１２に連通部１１２ｂが備えられ、フレームカバー１５０が連通部１１２ｂに着脱可能に結合される構造を示す。フレームカバー１５０は、螺合、フック結合などによりインナーフレーム１１２に締結される。図示のように、フレームカバー１５０には係止フック１５１が突設され、インナーフレーム１１２には係止フック１５１が係止される係止孔（又は係止溝）１１２ｂ’が形成されるようにしてもよい。
【０２４２】
以下では、前述した衣類処理装置の変形例について説明する。前述したドアの詳細構造は、後述するドアの詳細構造と矛盾しない限り、後述するドアに全て適用することができる。よって、それについての重複する説明は省略する。
【０２４３】
図２２は、本発明の変形例によるドア１０１０の分解斜視図であり、図２３は、図２２に示すドア１０１０の断面図である。
【０２４４】
図２２及び図２３を参照すると、ドア１０１０は、ドアカバー１１４０、ディスプレイモジュール１１３０及びドアフレーム１１１０を含む。
【０２４５】
ドアカバー１１４０は、非透光領域１１４３と、非透光領域１１４３内の第１透光領域１１４１及び第２透光領域１１４２と、を含む。第１透光領域１１４１と第２透光領域１１４２とは、非透光領域１１４３により互いに区分されるようにしてもよい。
【０２４６】
ドアカバー１１４０の背面上には、ディスプレイモジュール１１３０が配置される。ディスプレイモジュール１１３０は、ドアカバー１１４０の第２透光領域１１４２を介して視覚情報を出力するように構成される。ディスプレイモジュール１１３０は、ドアカバー１１４０の背面に直接取り付けられてもよく、後述するドアフレーム１１１０のディスプレイモジュール収容部１１１０ｂに取り付けられてもよい。
【０２４７】
ドアフレーム１１１０は、ドアカバー１１４０と結合され、本体２０に対して相対移動可能に連結される。ドアフレーム１１１０は、ヒンジユニット３０により本体２０に対して回転可能に構成されてもよい。
【０２４８】
ドアフレーム１１１０は、アウターフレーム１１１１及びインナーフレーム１１１２を含むものであってもよい。アウターフレーム１１１１及びインナーフレーム１１１２は、合成樹脂材質（例えば、ＡＢＳ材質、ＰＣ材質など）で形成されてもよい。
【０２４９】
ドアフレーム１１１０は、ディスプレイモジュール収容部１１１０ｂ及び開口部１１１０ａを備える。
【０２５０】
ディスプレイモジュール収容部１１１０ｂは、凹状空間であって、ディスプレイモジュール１１３０を収容するように構成される。ディスプレイモジュール収容部１１１０ｂは、アウターフレーム１１１１自体に形成された凹状空間で構成されてもよく、インナーフレーム１１１２がアウターフレーム１１１１に形成されたホールを覆って形成された凹状空間で構成されてもよい。ディスプレイモジュール収容部１１１０ｂは、タッチセンサ１１６０のフレキシブルプリント基板１１６１を収容するように構成されてもよい。
【０２５１】
上記構成により、ディスプレイモジュール１１３０は、ディスプレイモジュール収容部１１１０ｂにより覆われた形態となる。すなわち、ディスプレイモジュール１１３０は、ドアカバー１１４０とドアフレーム１１１０との間に配置される。このように、本変形例は、ドアフレーム１１１０に、ディスプレイモジュール１１６０に対応する第２開口部が備えられず、フレームカバーが備えられないという点で、上記実施形態とは構造的に異なる。
【０２５２】
上記構造は、ディスプレイモジュール１１３０のメンテナンスの面では上記実施形態の構造より容易でないが、取付フレーム１１３１がドアカバー１１４０に直接取り付けられるので、ドア１０の厚さを薄くすることができるという利点がある。また、後述するドアカバー１１４０と取付フレーム１１３１との間隙をシールするディスプレイシール部材１１３３及びシーラント充填溝１１１１ｄに充填されるシーラントとの組み合わせにより、水密性能の向上を図ることができるという利点がある。
【０２５３】
開口部１１１０ａは、ドア１０１０が閉じた状態で衣類投入口２０ａに対向するように配置される。開口部１１１０ａに透光性のドアウィンドウ１１２０が設けられ、ドアウィンドウ１１２０を通して衣類投入口２０ａが見えるように構成される。
【０２５４】
開口部１１１０ａは、アウターフレーム１１１１に形成される前方側開口１１１１ａと、インナーフレーム１１１２に形成される後方側開口１１１２ａと、を含むものであってもよい。
【０２５５】
ドアフレーム１１１０の前面には、ドアカバー１１４０との接着のためのシーラントが充填されるシーラント充填溝１１１１ｄが形成される。
【０２５６】
前述したように、シーラント充填溝１１１１ｄは、連結溝部、第１溝部及び第２溝部を含むものであってもよい。具体的には、連結溝部は、ディスプレイモジュール収容部１１１０ｂと開口部１１１０ａとの間を仕切るように形成され、第１溝部は、連結溝部の両端部に連結され、連結溝部と共に開口部１１１０ａの周縁部を囲むように形成され、第２溝部は、連結溝部の両端部に連結され、連結溝部と共にディスプレイモジュール収容部１１１０ｂの周縁部を囲むように形成される。
【０２５７】
シーラント充填溝１１１１ｄは、上記構成に加えてバイパス溝部をさらに含むものであってもよい。バイパス溝部は、連結溝部と第１溝部とが形成する空間内で、連結溝部上の任意の地点と第１溝部上の任意の地点とを連結するように構成される。
【０２５８】
また、シーラント充填溝１１１１ｄは、シーラント塗布部１１１１ｄ’及びシーラント捕集部１１１１ｄ’’を含むものであってもよい。
【０２５９】
このようなシーラント充填溝１１１１ｄにより、ドアカバー１１４０とドアフレーム１１１０との間に備えられたディスプレイモジュール１１３０への水分の浸透を防止することができる。また、シーラント充填溝１１１１ｄがディスプレイモジュール収容部１１１０ｂ及び開口部１１１０ａをそれぞれ別々に囲むように構成されることにより、開口部１１１０ａを通してのディスプレイモジュール１１３０への水分の浸透を防止することができる。
【０２６０】
また、図示のように、ディスプレイモジュール１１３０がドアカバー１１４０の背面に直接取り付けられる構造を有する場合、ディスプレイシール部材１１３３は、ドアカバー１１４０の背面に密着するようにしてもよい。ここで、ディスプレイシール部材１１３３は、ディスプレイモジュール１１３０をドアカバー１１４０の背面に結合する接着剤として機能することもできる。
【０２６１】
図２４〜図２６は、本発明の他の変形例を示す断面図である。
【０２６２】
本変形例は、解決しようとする課題が前述した構造と同じである。すなわち、後述する構造は、ドア５１４０、６１４０、７１４０にディスプレイ部（又はタッチスクリーン）を構成する際に、ディスプレイ部を構成する電子素子への水分の浸透を防止する構造である。
【０２６３】
図２４は、図２０に示す構造が設計変更された例を示す。同図を参照すると、アウターフレーム５１１１の前面には、ドアカバー５１４０が取り付けられ、アウターフレーム５１１１の背面には、取付フレーム５１３１が第２開口部５１１１ｂに対応するように取り付けられる。
【０２６４】
ディスプレイシール部材５１３３は、取付フレーム５１３１がアウターフレーム５１１１に取り付けられたときに取付フレーム５１３１とアウターフレーム５１１１との間隙をシールするように構成される。
【０２６５】
アウターフレーム５１１１には、第２開口部５１１１ｂを囲む収容溝５１１１ｈが形成され、ディスプレイシール部材５１３３の一部が収容溝５１１１ｈに挿入固定されるように構成される。ディスプレイシール部材５１３３の他の一部は、収容溝５１１１ｈから突出し、取付フレーム５１３１がアウターフレーム５１１１に取り付けられたときに取付フレーム５１３１に接触（密着）するように構成される。上記接触により、ディスプレイシール部材５１３３の内側空間が外側空間から分離され、上記内側空間への水分の浸透が防止される。
【０２６６】
同図においては、取付フレーム５１３１の延長部５１３１ｈがアウターフレーム５１１１の背面を覆うように横方向に延び、収容溝５１１１ｈに挿入されたディスプレイシール部材５１３３が延長部５１３１ｈに接触（密着）した構造を示す。延長部５１３１ｈは、ディスプレイシール部材５１３３に対応するように、取付フレーム５１３１の周縁部に沿って延設されてもよい。
【０２６７】
図２５を参照すると、取付フレーム６１３１は、ドアカバー６１４０と共にドアフレーム６１１０の前面に取り付けられてもよい。具体的には、アウターフレーム６１１１の前面には、ドアカバー６１４０の取り付けのための第１取付部６１１１’、及び取付フレーム６１３１の取り付けのために第１取付部６１１１’の内側に凹設される第２取付部６１１１’’が備えられてもよい。すなわち、第２取付部６１１１’’は、第１取付部６１１１’に対して内側に段差を有する形態である。
【０２６８】
上記構造により、取付フレーム６１３１が第２取付部６１１１’’に取り付けられた後、ドアカバー６１４０が第１取付部６１１１’に取り付けられる。すなわち、ドアカバー６１４０がアウターフレーム６１１１に取り付けられた状態で、ドアカバー６１４０は取付フレーム６１３１を覆うように配置される。
【０２６９】
なお、本変形例においては、アウターフレーム６１１１に凹状のディスプレイモジュール収容部６１１０ｂが備えられたものを示す。第２取付部６１１１’’は、ディスプレイモジュール収容部６１１０ｂを囲むようにループ状に延設されてもよい。しかし、本発明はこれに限定されるものではない。例えば、上記実施形態と同様に、アウターフレーム６１１１には、ディスプレイモジュール６１３０に対応する第２開口部が備えられてもよい。
【０２７０】
ディスプレイシール部材６１３３は、取付フレーム６１３１がアウターフレーム６１１１の第２取付部６１１１’’に取り付けられたときに、取付フレーム６１３１とアウターフレーム６１１１の第２取付部６１１１’’との間隙をシールするように構成される。
【０２７１】
取付フレーム６１３１における第２取付部６１１１’’に対向する部分には、収容溝６１３１ｆが第２取付部６１１１’’に対応するループ状に形成され、ディスプレイシール部材６１３３の一部が収容溝６１３１ｆに挿入固定されるように構成される。ディスプレイシール部材６１３３の他の一部は、収容溝６１３１ｆから突出し、取付フレーム６１３１がアウターフレーム６１１１に取り付けられたときに第２取付部６１１１’’に接触（密着）するように構成される。
【０２７２】
上記構造において、ドアカバー６１４０が第１取付部６１１１’に取り付けられると、取付フレーム６１３１は、ドアカバー６１４０により加圧され、第２取付部６１１１’’に加圧されるように構成されてもよい。このような設計によれば、上記加圧により第２取付部６１１１’’に対するディスプレイシール部材６１３３の密着の程度が増加し、シールの信頼性が向上する。
【０２７３】
図２６は、図２５に示す構造からシール溝７１１１ｈの形成位置が変更された構造を示す。すなわち、シール溝７１１１ｈは、アウターフレーム７１１１の第２取付部７１１１’’に形成され、第２取付部７１１１’’に沿って延設されてディスプレイモジュール収容部７１１０ｂを囲むようになっている。
【０２７４】
上記構造により、ディスプレイシール部材７１３３の一部は、収容溝７１１１ｈに挿入固定され、ディスプレイシール部材７１３３の他の一部は、収容溝７１１１ｈから突出し、取付フレーム７１３１がアウターフレーム７１１１に取り付けられたときに取付フレーム７１３１に接触（密着）するように構成される。
【０２７５】
同図においては、取付フレーム７１３１の延長部７１３１ｈがアウターフレーム７１１１の第２取付部７１１１’’を覆うように横方向に延び、収容溝７１１１ｈに挿入されたディスプレイシール部材７１３３が延長部７１３１ｈに接触（密着）した構造を示す。延長部７１３１ｈは、ディスプレイシール部材７１３３に対応するように、取付フレーム７１３１の周縁部に沿って延設されてもよい。
【０２７６】
上記構造において、ドアカバー７１４０が第１取付部７１１１’に取り付けられると、取付フレーム７１３１は、ドアカバー７１４０により加圧され、第２取付部７１１１’’に加圧されるように構成されてもよい。このような設計によれば、上記加圧により取付フレーム７１３１に対するディスプレイシール部材７１３３の密着の程度が増加し、シールの信頼性が向上する。
【０２７７】
前述したように、ドアフレーム［上記変形例におけるアウターフレーム５１１１、６１１１、７１１１］と取付フレーム５１３１、６１３１、７１３１との間隙をシールするためのディスプレイシール部材５１３３、６１３３、７１３３は、上記ドアフレームと取付フレーム５１３１、６１３１、７１３１のいずれか一方に形成された収容溝５１１１ｈ、６１３１ｆ、７１１１ｈに取り付けられ、他方に接触（密着）するようにしてもよい。ここで、取付フレーム５１３１、６１３１、７１３１は、上記ドアフレームの前面又は背面に結合されるようにしてもよい。
【０２７８】
また、図２３に示す構造のように、ディスプレイシール部材１１３３がドアカバー１１４０と取付フレーム１１３１との間隙をシールするように構成された場合、その変形例として、ディスプレイシール部材１１３３は、ドアカバー１１４０に形成された収容溝に取り付けられ、取付フレーム１１３１に接触（密着）するようにしてもよい。
【０２７９】
このような技術的思想に基づいて、前述したような設計変更を取付フレーム１３１とＰＣＢカバー１３７とのシールのための構造にも同様に適用できることは言うまでもない。すなわち、ＰＣＢシール部材１３８は、取付フレーム１３１及びＰＣＢカバー１３７のいずれか一方に形成された取付溝１３１ｇに取り付けられ、他方に接触（密着）するようにしてもよい。
【図１】
0006640346.tif 000002
【図２ａ】
0006640346.tif 000003
【図２ｂ】
0006640346.tif 000004
【図３】
0006640346.tif 000005
【図４】
0006640346.tif 000006
【図５】
0006640346.tif 000007
【図６】
0006640346.tif 000008
【図７】
0006640346.tif 000009
【図８】
0006640346.tif 000010
【図９】
0006640346.tif 000011
【図１０】
0006640346.tif 000012
【図１１】
0006640346.tif 000013
【図１２】
0006640346.tif 000014
【図１３】
0006640346.tif 000015
【図１４】
0006640346.tif 000016
【図１５】
0006640346.tif 000017
【図１６】
0006640346.tif 000018
【図１７】
0006640346.tif 000019
【図１８】
0006640346.tif 000020
【図１９】
0006640346.tif 000021
【図２０】
0006640346.tif 000022
【図２１】
0006640346.tif 000023
【図２２】
0006640346.tif 000024
【図２３】
0006640346.tif 000025
【図２４】
0006640346.tif 000026
【図２５】
0006640346.tif 000027
【図２６】
0006640346.tif 000028